(57)【特許請求の範囲】
【請求項１】
ａ）  メインフレーム・ウェーハ移送ロボットを有するメインフレームと；
ｂ）  前記メインフレームに隣接して配置されたローディング・ステーションと；
ｃ）  前記メインフレームと接続するように配置された一つ以上の処理セルと；
ｄ）  前記一つ以上の処理セルに流体で接続された電解液供給器と；および
ｅ）  前記メインフレームに配置されたシード層修復ステーションと
を具備し、
前記処理セルは：
１）  カソードと、前記カソードの上に配置されたウェーハ・ホルダとを具
備するヘッド・アセンブリと；
２）  堰および電解液流入口を有する電解液コンテナと、前記電解液コンテ
ナに配置されたアノードとを具備する処理キットと；
３）  前記堰の下に配置された電解液コレクタと；および
４）  前記カソードおよび前記アノードに接続された電源と
を具備する
電気化学堆積システム。
【請求項２】
前記ヘッド・アセンブリは、前記ヘッド・アセンブリを、前記処理キットから離すように回転させるよう適応した回転アームに取り付けられることを特徴とする、請求項１に記載のシステム。
【請求項３】
前記ヘッド・アセンブリは、前記回転アームから伸びるカンチレバー・アームに取り付けられることを特徴とする、請求項２に記載のシステム。
【請求項４】
前記処理キットは、前記メインフレームに、取り外すことができるように配置されることを特徴とする、請求項１に記載のシステム。
【発明の詳細な説明】
【０００１】
〔発明の分野〕
本発明は一般に、ウェーハ／基板上への金属層の堆積に関する。特に、本発明は、金属層をウェーハ／基板上に形成する電気化学堆積装置（electro-chemical deposition ：ＥＣＤと略称されている）に関し、これは電気めっき装置とも呼ばれている。
【０００２】
〔関連技術の背景〕
サブクォーターミクロン（０．２５μｍ以下）のマルチレベルメタライゼーションは、超大規模集積（ＵＬＳＩ）デバイスの次世代の基幹技術のうちの１つである。この技術の核心部分であるマルチレベルインターコネクション（相互接続）は、高アスペクト比の孔に形成された構造的な相互接続特徴部の平坦化を必要とし、かかる構造的特徴部としては、コンタクト、バイア、ライン及び他の特徴部が挙げられる。これら相互接続特徴部の信頼性の高い形成は、ＵＬＳＩの成功及び個々の基板及びダイ上の回路密度及び品質を向上させる技術的努力の継続にとって非常に重要である。
【０００３】
回路密度の増大につれ、バイア、接点又はコンタクト及び他の特徴部並びにこれら相互の誘電体の幅は、２５０nm未満に減少し、これに対し誘電体層の厚さは実質的に一定のままであり、その結果、特徴部のアスペクト比、即ち、高さを幅で割った値が増大している。伝統的な薄膜形成法、例えば物理的気相成長（ＰＣＤ）及び化学的気相成長（ＣＶＤ）は、アスペクト比が４：１を越える場合、特に１０：１を越える場合、構造的特徴部のフィリング（埋めること）が困難である。したがって、特徴部の高さと幅の比が４．１以上である高いアスペクト比を備えたボイドフリーのナノメートルサイズの特徴部の形成に向けて目下多大な努力がなされている。さらに、特徴部の幅の減少につれ、デバイス電流は、一定のままか又は増大しており、その結果、特徴部の電流密度が増大する。
【０００４】
金属元素としてのアルミニウム（Ａｌ）及びその合金は、半導体処理においてライン及びプラグを形成するのに伝統的に用いられている金属である。というのは、アルミニウムの電気固有抵抗又は抵抗率はかなり低く、二酸化シリコン（ＳｉＯ2  ）への密着性が優れており、パターン形成が容易であり、しかも非常に純粋な形態で得ることができるからである。しかしながら、アルミニウムは、導電性のより高い他の金属、例えば銅よりは抵抗率が高く、アルミニウムも又、導体中にボイドを形成する原因となるエレクトロマイグレーションを生じるという欠点がある。
【０００５】
銅及びその合金は、アルミニウムよりも抵抗率が小さく、しかもアルミニウムと比較してエレクトロマイグレーションに対する耐性が著しく高い。これらの特徴は、高集積レベル及び高デバイス速度で生じる高い電流密度に耐える上で重要である。銅は又、熱伝導率が良好であり、非常に高い純度の状態で得ることができる。したがって、銅は、半導体基板上へのサブクォーターミクロンで高アスペクト比の相互接続特徴部のフィリングに向いた金属としての一選択肢である。
【０００６】
半導体デバイスの製造に銅を用いることが望ましいことであるにもかかわらず、銅を非常に高いアスペクト比の構造的特徴部、例えばアスペクト比が４：１で幅が０．３５μｍ（又はこれ以下）の特徴部中に堆積させる製造方法の選択枝は限られている。これらプロセス上の制約の結果として、従来は回路基板上への配線形成に限られていためっき法が今や、半導体デバイス上のバイア及びコンタクトのフィリングに用いられている。
【０００７】
金属の電気めっき法は、一般に知られており、種々の手法で達成できる。代表的な方法では一般に、バリア層を特徴部の表面上に物理的気相成長させ、導電性金属シード層、好ましくは銅をバリア層上に物理的気相成長させ、次に、導電性金属をシード層上に電気めっきして構造部／特徴部のフィリングを行う。最終的に、堆積層及び誘電体層を例えば化学機械研磨（ＣＭＰ）によって平坦化して導電性相互接続特徴部を形成する。
【０００８】
図１は、コンタクトピンを備えた単純化された代表的なファウンテン（fountain）形めっき装置１０の断面図である。一般に、ファウンテン形めっき装置１０は、頂部開口部を備えた電解液入り容器１２、電解液入り容器１２の上に設けられた基板ホルダ１４、電解液容器１２の底部に設けられた陽極１６及び基板２２に接触する接点リング２０を有している。複数の溝２４が、基板ホルダ１４の下面に形成されている。真空ポンプ（図示せず）が、基板ホルダ１４に結合されていて、溝２４と連通して処理中、基板２２を基板ホルダ１４に固定できる真空条件を生じさせるようになっている。接点リング２０は、中央基板めっき表面を構成するよう基板２２の周囲部分の周りに分布して設けられた複数の金属製又は半金属製コンタクトピン２６を有している。複数のコンタクトピン２６は、基板２２の幅の狭い周囲部分上に半径方向内方に延び、コンタクトピン２６の頂部のところで基板２２の導電性シード層に接触している。電源（図示せず）が、ピン２６に取り付けられ、それにより、電気的バイアスを基板２２に与えるようになっている。基板２２は、円筒形電解液入り容器１２の上に位置決めされ、電解液の流れが、セル１０の動作中、基板めっき表面上に垂直に当たる。
【０００９】
今日の電気めっきセル、例えば図１に示すものは、大規模集積基板上に合格レベルの結果を達成するが、多くの問題点により、ミクロンサイズのアスペクト比の高い構造的特徴部を備えた基板上への首尾一貫した信頼性の高い電気めっきが損なわれる。一般に、これら問題点は、基板のめっき表面上への一様な電力分布及び電流密度を生じさせて一様な厚さの金属層を形成すること、望ましくないエッジ及び裏面又は裏側への堆積を防止して処理中の基板及びその結果得られる基板への汚染を制御すること、及び基板を処理中基板ホルダに固定する真空条件を維持することに関する。また、今日における電気めっきセルは、他の処理装置の要求に合うのに十分なスループットを生じさせず、将来の設計上のルール及びギャップのフィリング要件に適合するよう拡張できる融通性のあるアーキテクチャを備えた状態では設計されてはいない。さらに、現行装置は、電気めっき法の実施前のシード層が不十分又は不連続であるという問題を解決していない。さらに、現在の電気めっき装置プラットホームは、同一の電気めっき装置プラットホーム内で堆積又はめっき結果を向上させるための電気化学的堆積後処理、例えば迅速な熱アニール処理を提供していない。
【００１０】
代表的な電気めっき法で生じる別の特定の問題は、シード層のエッジが、電気めっき中、過剰の堆積又はめっき量（一般に、エッジビードと呼ばれる）を受けるということである。図１Ａは、シード層３４のエッジ３２のところに過剰堆積部３６を示すウェーハ３０のエッジの断面図である。図１Ａに示すように、ウェーハ３０上にはシード層３４が被着されており、このシード層３４上には電気めっき層３８が電気化学的に被着されている。シード層３４のエッジ３２は、シード層３４の残部よりも電流密度が高く、その結果、シード層３４のエッジ３２のところの蒸着速度が高くなるということが分かっている。シード層３４のエッジ３２のところの機械的応力もまた、シード層の残部よりも高く、それにより、シード層のエッジのところの堆積が止まってウェーハ３０の縁部から遠ざかるようになる。過剰堆積部３６は一般にＣＭＰ法によって除去される。しかしながら、ＣＭＰ実施中、ウェーハのエッジのところの過剰堆積部３６は代表的には、シード層のエッジから剥がれてウェーハの隣接部分を損傷する場合がある。剥がれ落ちた金属も又、ウェーハ上に形成されるデバイスを損傷させる場合がある。かくして、適正に作られるデバイスの数は減少し、形成されるデバイス１個当たりのコストが高くなる。
【００１１】
さらに、電流を用いる電気めっき装置は、周辺コンポーネント及び時間のかかる労力を用いなければ必要な処理工程を実施することができない。例えば、めっき法の実施中、処理用の化学薬品の分析が定期的に必要となる。かかる分析により、成分の正しい割合を確保するための電解液の組成が決定される。従来の分析は、電解液のサンプルを試験ポートから採取し、このサンプルを遠隔の分析器に送ることにより行われている。次に、電解液の組成を分析の結果に応じて手作業で調節する。分析は、種々の化学薬品の濃度が一定の流れ状態にあるので頻繁に行う必要がある。しかしながら、上述の方法は時間がかかり、実施できる分析の回数が制限される。
【００１２】
したがって、他の処理装置の要求に合うのに十分なスループットを生じさせず、将来の設計上のルール及びギャップのフィリング要件に適合するよう拡張できる融通性のあるアーキテクチャを備えた設計の電気化学堆積装置が要望されている。また、基板めっき表面上への一様な電力分布及び電流密度を生じさせて一様な厚さの金属層を形成すると共に基板を処理中、基板ホルダに固定する真空条件を維持する電気化学堆積装置が要望されている。さらに、かかる装置は、次に行われる電気めっき法のための最初の導電層の品質を高めることにより構造的特徴部内への堆積又は成膜の信頼性を高める装置を有することが望ましい。
【００１３】
電気化学堆積装置は、望ましくないエッジ及び裏面又は裏側への堆積を防止すると共に（或いは）除去して処理中の基板及びその結果得られる基板への汚染を制御することが望ましく、しかも、この装置は、過剰の堆積部をウェーハから除去した後にウェーハ洗浄方法、例えばスピン−リンス−ドライ法を実施できるようになっていることが望ましい。また、電気化学堆積装置は、処理装置と一体化されていて、電解質の組成の実時間分析を可能にする１又は２以上の化学分析器を有することが望ましい。さらに、電気化学堆積装置は、堆積又はめっき結果を向上させるための電気化学堆積又は成膜後処理、例えば迅速な熱アニール処理を可能にすることが望ましい。
【００１４】
〔発明の概要〕
本発明は一般に、他の処理装置の要求に合うのに十分なスループットを生じさせず、将来の設計上のルール及びギャップのフィリング要件に適合するよう拡張できる融通性のあるアーキテクチャを備えた設計の電気化学堆積装置を提供する。電気化学堆積装置は一般に、メインフレームウェーハ搬送ロボットを有するメインフレーム、メインフレームと連携して設けられたローディングステーション、メインフレームと連携して設けられた１又は２以上の処理セル及び１又は２以上の電気処理セルに流体連通状態で連結された電解質供給源を有する。好ましくは、メインフレームは、エッジビード除去（エッジクリーン）／スピン−リンス−ドライ（ＥＢＲ／ＳＲＤ）ステーション及びシード層補修ステーションを更に有する。好ましくは、電気化学堆積装置は、ローディングステーションに取り付けられた迅速熱アニールチャンバ、一体形化学分析器を含む電解液補給装置及び電気化学堆積方法及び電気化学堆積装置の構成部品を制御するシステム制御装置を更に有する。
【００１５】
本発明は一特徴として、基板めっき表面上への一様な電力分布及び電流密度を生じさせて一様な厚さの金属層を形成すると共に基板を処理中、基板ホルダに固定する真空条件を維持する電気化学堆積装置を提供する。
【００１６】
本発明は別の特徴として、望ましくないエッジ及び裏面又は裏側への堆積を防止すると共に（或いは）除去して処理中の基板及びその結果得られる基板への汚染を制御する電気化学堆積装置を提供する。
【００１７】
本発明の別の特徴は、金属を基板上に電気化学的に堆積又は成膜させる装置であって、陰極及びウェーハホルダを有するヘッド組立体と、電解液入り容器及び陽極を有する処理キットと、電解液オーバフローキャッチと、陰極及び陽極に接続された電源とから成る装置を提供する。好ましくは、陰極は、陰極接点リングを有し、ウェーハホルダは、陰極接点リングをウェーハに正しく接触させるブラダシステムを有する。好ましくは、電解液にさらされる陰極接点リングの表面は、親水性表面が得られるよう被覆され又は処理される。
【００１８】
本発明は更に別の特徴として、陽極の溶解によって生じる陽極スラッジ及び他の粒子を除去するようになった透過性の封入陽極を提供する。好ましくは、封入陽極は、汚染要因物を電解液から捕捉し又は濾過する親水性メンブレンを有する。封入陽極は好ましくは、封入陽極内での電解液の流れを容易にするバイパス電解液入口及びバイパス出口を更に有する。
【００１９】
本発明は更に別の特徴として、実時間化学分析器モジュール及び注入モジュールを有する電解液補給装置を提供する。化学分析器モジュールは、制御装置によって作動され、電気化学堆積装置の制御装置と一体の少なくとも１つ、好ましくは２つの分析器を含む。サンプルラインが、主電解液タンクから化学分析器モジュールへの電解液の連続した流れを生じさせる。第１の分析器は、電解液中の有機物の濃度を求め、第２の分析器は、無機物の濃度を求める。次に、注入モジュールを起動化して化学分析器モジュールによって得られた情報に応答して正しい割合の化学薬品を主タンクに送る。
【００２０】
本発明は更に別の特徴として、実時間化学分析器モジュールを提供する。化学分析器モジュールは、制御装置によって作動され、電気化学堆積装置の制御装置と一体の少なくとも１つ、好ましくは２つの分析器を含む。サンプルラインが、主電解液タンクから化学分析器モジュールへの電解液の連続した流れを生じさせる。第１の分析器は、電解液中の有機物の濃度を求め、第２の分析器は、無機物の濃度を求める。
【００２１】
本発明は更に別の特徴として、ウェーハ表面上に形成されたデバイスを損傷させないで、ウェーハのエッジの過剰の堆積部を除去する装置を提供する。この装置は、過剰の堆積部をウェーハから除去した後にウェーハ洗浄方法、例えばスピン−リンス−ドライ法を実施できるようになっている。
【００２２】
本発明は更に別の特徴として、次に行われる電気めっき法のための最初の導電層の品質を高めることにより構造的特徴部内への堆積又は成膜の信頼性を高める装置を提供する。
【００２３】
本発明は更に別の特徴として、堆積又はめっき結果を向上させるための電気化学的堆積後処理法、例えば迅速な熱アニール処理法を提供する。迅速な熱アニール処理を行う装置は好ましくは、電気化学堆積装置のローディングステーションに隣接して設けられた迅速熱アニールチャンバを有する。
【００２４】
本発明は更に別の特徴として、堆積又はめっき具合の一様性を向上させるために処理中、ウェーハの回転を生じさせる電気めっきセル用の回転自在なヘッド組立体を提供する。回転自在なヘッド組立体は又、電気めっき法の実施後、残留電解液をウェーハホルダ組立体から除去しやすくする。好ましくは、膨らまし可能なブラダ及び陰極接点リングを含むウェーハホルダ組立体の構成部品は、残留電解液の滴下及び除去を促進する親水性表面を有する。
【００２５】
本発明の上記特徴、利点及び目的を実現又は達成する態様を詳細に理解できるようにするために、添付の図面に示された本発明の実施形態を参照して上記発明の概要の項に記載した本発明について一層具体的な説明を行う。
【００２６】
しかしながら、添付の図面は、本発明の代表的な実施形態を示しているに過ぎず、本発明の範囲を限定するものではない。というのは、本発明は、他の均等な形態で実施できるからである。
【００２７】
〔好ましい実施形態の詳細な説明〕
図２は、本発明の電気めっきシステム又は装置のプラットホーム２００の斜視図である。図３は、本発明の電気めっき装置プラットホーム２００の略図である。図２と図３の両方を参照すると、電気めっき装置プラットホーム２００は主要構成要素として、ローディングステーション２１０、熱アニールチャンバ２１１、メインフレーム２１４及び電解液補給装置２２０を有している。好ましくは、電気めっき装置プラットホーム２００は、パネル、例えばプレキシグラスパネルを用いてクリーンな環境中に入れられている。メインフレーム２１４は、主要構成要素として、メインフレーム搬送ステーション２１６、スピン−リンス−ドライ（ＳＲＤ）ステーション２１２、シード層補修ステーション２１５及び複数の処理ステーション２１８を有している。メインフレーム２１４は、電気化学堆積法を完了させるのに必要な種々のステーションを支持する切欠きを備えたベース２１７を有している。ベース２１７は好ましくは、種々のステーションを載せて支持できるアルミニウム、ステンレス鋼又は他の剛性材料で作られる。化学保護膜、例えばハラー（Halar ：登録商標）、エチレンクロロトリフルオロエチレン（ＥＣＴＦＥ）又は他の保護膜が好ましくは、潜在的な化学的腐食にさらされるベース２１７の表面上に被着される。好ましくは、金属ベース２１７上に良好な相似被覆材となり、金属ベース２１７に良好にくっつき、良好な延性を発揮し、システムの通常の動作条件のもとで耐亀裂性を発揮する。各処理ステーション２１８は、１又は２以上の処理セル２４０を有している。電界液補給装置２２０が、処理セル２４０に個々に連結された状態でメインフレーム２１４に隣接して設けられていて、電気めっき法に用いられる電解液を循環させるようになっている。電気めっき装置プラットホーム２００は、電力を電気めっき装置に供給する電源ステーション２２１及び代表的にはプログラマブルマイクロプロセッサから成る制御装置２２２を更に有している。
【００２８】
ローディングステーション２１０は好ましくは、１又は２以上のウェーハカセット受入れ領域２２４、１又は２以上のローディングステーション搬送ロボット２２８及び少なくとも１つのウェーハオリエンタ２３０を有する。ローディングステーション２１０に設けられるウェーハカセット受入れ領域、ローディングステーション搬送ロボット２２８及びウェーハオリエンタの数は、装置の所望のスループット（処理量）に応じて設定できる。図２及び図３の一実施形態について示すように、ローディングステーション２１０は、２つのウェーハカセット受入れ領域２２４、２つのローディングステーション搬送ロボット２２８及び１つのウェーハオリエンタ２３０を有している。ウェーハ２３４を収納したウェーハカセット２３２が、ウェーハカセット受入れ領域２２４上に載置し、それによりウェーハ２３４を電気めっき装置プラットホーム内に導入する。ローディングステーション搬送ロボット２２８は、ウェーハ２３４をウェーハカセット２３２とウェーハオリエンタ２３０との間で搬送する。ローディングステーション搬送ロボット２２８は、当該技術分野で一般に知られている代表的な搬送ロボットから成る。ウェーハオリエンタ２３０は、各ウェーハ２３４を所望の向きに位置決めしてウェーハが正しく処理されるようにする。ローディングステーション搬送ロボット２２８は又、ウェーハ２３４をローディングステーション２１０とＳＲＤステーション２１２との間及びローディングステーション２１０とサーマルアニールチャンバ２１１との間で搬送する。ローディングステーション２１０は、装置を通るウェーハの効率的な搬送を容易にするよう必要に応じてウェーハの一時的な貯蔵を行うための追加のウェーハカセット２３１を更に有している。
【００２９】
図４は、リンス流体及び溶解流体入口を備えた本発明のスピン−リンス−ドライ（ＳＲＤ）モジュールの概略斜視図である。図５は、図４のスピン−リンス−ドライ（ＳＲＤ）モジュールの側面断面図であり、基板を流体入口相互間で垂直方向に設けられた処理位置で示している。好ましくは、ＳＲＤステーション２１２は、１又は２以上のＳＲＤモジュール２３６及び１又は２以上のウェーハ通過カセット２３８を有している。好ましくは、ＳＲＤステーション２１２は、ローディングステーション搬送ロボット２２８の数に一致した２つのＳＲＤモジュール２３６を有し、ウェーハ通過カセット２３８が各ＳＲＤモジュール２３６の上に位置決めされている。ウェーハ通過カセット２３８は、ローディングステーション２１０とメインフレーム２１４との間のウェーハ搬送を容易にする。ウェーハ通過カセット２３８は、ローディングステーション搬送ロボット２２８とメインフレーム搬送ステーション２１６内のロボットの両方に近付いたり遠ざかることができる。
【００３０】
図４及び図５を参照すると、ＳＲＤモジュール２３６は、底部３３０ａ，側壁３３０ｂ及び上部シールド３３０ｃを有し、これらは一緒になって、ＳＲＤモジュールボウル３３０ｄを構成し、ここではシールドが側壁に取り付けられ、流体をＳＲＤモジュール内に保持するのに役立っている。変形例として、着脱自在なカバーを用いてもよい。ＳＲＤモジュール内に設けられたペデスタル３３６が、ペデスタル支持体３３２及びペデスタルアクチュエータ３３４を有している。ペデスタル３３６は、基板３３８（図５に示す）を処理中、ペデスタル上面上に支持する。ペデスタルアクチュエータ３３４はペデスタルを回転させて基板をスピンさせ、ペデスタルを以下に説明するように昇降させる。基板は、複数のクランプ３３７によってペデスタル上の定位置に保持されるのがよい。クランプは、遠心力で回動し、好ましくは基板のエッジ除外領域に係合する。好ましい実施形態では、クランプは、基板が処理中ペデスタルから持ち上がる場合にのみ基板に係合する。真空通路（図示せず）を他の保持要素と共に用いてもよい。ペデスタルは、複数のペデスタルアーム３３６ａ，３３６ｂを有し、したがって第２のノズルを通る流体が基板の下面上に実際の場合と同じほど広い表面積にわたって当たるようになる。出口３３９により、流体をＳＲＤモジュールから除去することができる。本明細書で用いる「下」、「上」、「底」、「頂」、「上」、「下」、「上方」、「下方」その他の位置を表す用語は、図面に記載した実施形態に関する用語であり、処理装置の相対的な動きに応じて変わる場合がある。
【００３１】
第１の流体３４７を流通させる第１の導管３４６が、弁３４７ａに連結されている。導管は、ホース、管、チューブ又は他の流体収容導管であるのがよい。弁３４７ａは、第１の流体３４７の流量を制御し、種々の弁から選択されたものであるのがよく、かかる弁としては、ニードル弁、グローブ（玉形）弁、蝶形弁又は他の形式の弁が挙げられ、弁３４７ａは、制御装置３６２で制御できる弁アクチュエータ、例えばソレノイドを更に有するのがよい。導管３４６は、機械の上方に設けられた第１の流体入口３４０に連結され、この第１の流体入口は、ＳＲＤモジュールに取り付けられる取付け部分３４２及び導管３４６に取り付けられる連結部分３４４を有している。第１の流体入口は、第１の流体３４７を加圧下で基板の上面上に送り出す単一の第１のノズル３４８を備えた状態で示されている。しかしながら、多数のノズルを用い、多数の流体ラインをＳＲＤモジュールの内周部の周りに配置してもよい。好ましくは、基板の上方に配置されるノズルは、ノズルが基板上に落下する恐れを少なくするために基板の外周部の外に位置するべきである。第１の流体入口を、種々の位置に配設することができ、かかる配設場所としては、基板上方に位置決めされたカバーを貫通して設けることが挙げられる。加うるに、ノズルは、関節連結部材３４３、例えば玉継手を用いて種々の位置に関節連結できる。
【００３２】
上述の第１の導管及び関連要素と類似して、第２の導管３５２が制御弁３４９ａに連結され、第２の流体入口３５０が第２のノズル３５１を備えている。第２の流体入口３５０は、基板の下に位置し、上方に傾斜して第２の流体を第２のノズル３５１を通って基板のしたに差し向ける状態で示されている。第１の流体入口と同様に、第２の流体入口は、複数のノズル、複数の流体入口及び取付け場所及び関節連結部材３５３を使用する向きを含む複数の向きを有するのがよい。各流体入口を種々の位置でＳＲＤモジュール内へ延長させるのがよい。例えば、もし流れが基板のエッジに沿ってＳＲＤモジュールの周囲に向かって後ろ向きに或る角度をなすことが望ましい場合、ノズルを半径方向内方に延長し、ノズルからの放出が、ＳＲＤモジュールの周囲に向かって後方に差し向けられるようにしてもよい。
【００３３】
制御装置３６２は、２つの流体及びこれらのそれぞれの流量、圧力及びタイミング、並びに任意の関連のバルブ動作並びにスピンサイクルを個々に制御できる。制御装置を例えば制御盤又は制御室内に遠隔配置するのがよく、給排水設備を遠隔アクチュエータで制御するのがよい。破線で示す変形実施形態は、第１の導管３４６に連結されていて、導管３４６ｂ及び制御弁３４６ｃを備えた補助流体入口３４６ａを有し、かかる構成を用いると溶解流体を流した後に基板の裏面又は裏側にリンス流体を流すことができ、この場合、基板の向きを変え又は第２の流体入口を通る流れをリンス流体に切り換える必要はない。
【００３４】
一実施形態では、基板は、堆積又はめっき表面がＳＲＤモジュールボウル内で上向きにして設けられている。以下に説明するように、かかる構成では、第１の流体入口は一般に、リンス流体、例えば脱イオン水又はアルコールを流通させる。その結果、基板の裏面は、下に向いた状態で設けられ、弁の流体入口を通って流れる流体は、溶解流体、例えば酸であり、かかる酸としては、溶解されるべき物質に応じて、塩酸、硫酸、燐酸、弗化水素酸又は他の溶解液又は流体が挙げられる。変形例として、所望の工程において処理済みの基板をリンスしようとする場合、第１の流体及び第２の流体は共にリンス流体、例えば脱イオン水又はアルコールである。
【００３５】
動作原理を説明すると、ペデスタルは、図４に示す上昇位置にあり、ロボット（図示せず）は基板をペデスタル上に表側を上にして配置する。ペデスタルは基板を処理位置に下降させ、ここで基板は第１の流体入口と第２の流体入口との間に垂直方向に配置される。一般に、ペデスタルアクチュエータは、ペデスタルを約５〜約５０００ｒｐｍで回転させ、典型的な回転数範囲は、２００mm基板の場合、約２０〜約２０００ｒｐｍである。回転により、クランプの下端部３３７ａは、遠心力によりＳＲＤモジュール側壁の周囲に向かってピボット３３７ｂの周りに外方に回転する。クランプの回転により、クランプの上端部３３７ｃは中心に向かって内方且つ下向きに押され、基板３３８は好ましくは基板のエッジに沿ってペデスタル３３６上の定位置に保持される。クランプは、基板に当たらないで定位置まで回転することができ、基板が処理中ペデスタルから相当持ち上がった場合にのみ基板をペデスタル上の定位置に保持する。ペデスタルが基板を回転させている状態で、リンス流体を第１の流体入口３４０を通して基板の表側上に送り出す。第２の流体、例えば酸を第２の流体入口を通して裏側に送り出して望ましくない堆積物又はデポジットを除去する。溶解流体は、堆積物と化学的に反応して溶解し、次にこの堆積物を基板の裏側及び望ましくない堆積物が位置している他の領域から洗い落とす。好ましい実施形態では、リンス流体は、基板の表側又は表面を溶解流体から保護するのに役立つよう溶解流体よりも早い速度で流れるよう調節される。第１及び第２の流体入口は、数ある要因の中で、基板のサイズ、それぞれの流量、スプレーパターン及び除去されるべき堆積物の量及び種類に応じて最適性能が得られるよう配置される。場合によっては、リンス流体を溶解流体が望ましくないデポジットを溶解した後に第２の流体入口に導いて基板の裏側をリンスするのがよい。別の場合では、リンス流体を基板の裏側上に流すように連結された補助流体入口を用いて、溶解流体残留物を裏側からリンスするのがよい。基板の表側及び（又は）裏側をリンスした後、流体の流れを止め、ペデスタルは回転を続け、基板をスピンさせ、それにより表面を効果的に乾燥させる。
【００３６】
流体を一般に、スプレーパターンで送り出し、これは、所望の特定のノズルスプレーパターンに応じて様々であるのがよく、かかるパターンとして、扇形、ジェット形、円錐形及び他のパターンが挙げられる。第１及び第２の流体入口をそれぞれ通る第１及び第２の流体についての１つのスプレーパターンは、第１の流体がリンス流体である場合、扇形のパターンであり、２００mmウェーハの場合、圧力が約１０〜約１５ｐｓｉ（平方インチ当たりのポンド）及び流量が約１〜約３ｇｐｍ（１分間当たりのガロン）である。
【００３７】
本発明はまた、基板のエッジに沿う望ましくない堆積物を取り除いてエッジ除外領域を生じさせるのに用いることができる。ノズルの向き及び配置場所を、流体の流量、基板の回転速度及び流体の化学的組成を調節することにより、望ましくない堆積物を基板のエッジ及び（又は）エッジ除外領域から除去することもできる。かくして、表側の表面上の堆積物質の溶解を実質的に阻止することは、必ずしも、基板のエッジ又はエッジ除外領域を含むわけではない。また、表側表面上の堆積物質の溶解を阻止することは、堆積物の付いた表側が商業的な価値を越えて損なわれないように少なくとも溶解を阻止することを含むものである。
【００３８】
エッジ除外領域の溶解方法を達成する一方法は、溶解流体を基板の裏側上に小出ししながらディスクを遅い速度、例えば約１００〜約１０００ｒｐｍで回転させることである。遠心力により、溶解流体が基板のエッジに寄せられ、流体の表面張力によりエッジの周りに流体の層が生じ、したがって溶解流体が基板のエッジ領域の裏側から表側までオーバーラップするようになる。基板の回転速度及び溶解流体の流量を用いると、表側上へのオーバーラップの度合を求めることができる。例えば、回転速度を減少させ、又は流量を増加させると、その結果として、反対側の側部、例えば表側への流体のオーバーラップが少なくなる。さらに、表側に送り出されるリンス流体の流量及び流れ角度を調節すると、基板のエッジ及び（又は）表側上への溶解流体の層をずらすことができる。場合によっては、エッジ及び（又は）エッジ除外領域を除去するためにリンス流体を用いないで溶解流体をまず最初に用い、次に、上述したような本発明のリンス／溶解方法を行ってもよい。
【００３９】
図２７は、エッジビード除去（エッジクリーンと呼ばれることがある）／スピン−リンス−ドライ（ＥＢＲ／ＳＲＤ）モジュールの組み合わせの断面図であり、基板を流体入口相互間に垂直方向に位置した処理位置で示している。本発明のこの実施形態は、エッジビーム除去（ＥＢＲ）とスピン−リンス−ドライ（ＳＲＤ）法の両方に有用である。ＥＢＲ／ＳＲＤモジュールは好ましくは、ＳＲＤステーション２１２内に設けられる（図３参照）。ＥＢＲ／ＳＲＤモジュール２２００は、容器２１００に、ウェーハホルダ組立体２１０４及び流体／化学薬品送出し組立体２１０６を有している。容器２１０２は好ましくは、円筒形側壁２１０８、中央開口部２１１２を備えた容器底部２１１０及び中央開口部２１１２の周縁部から上方に延びる上向き内壁２１１４を有する。使用済みの流体及び化学薬品をＥＢＲ／ＳＲＤモジュール２２００から排出しやすくするために流体出口２１１６が容器の底部２１１０に連結されている。
【００４０】
ウェーハホルダ組立体２１０４は、中央開口部２１１２の上方に設けられ、このウェーハホルダ組立体は、リフト又は吊上げ組立体２１１８及び中央開口部２１１２を貫通して延びる回転組立体２１２０を有する。リフト組立体２１１８は好ましくは、ベロータイプのリフト又は親ねじステッピングモータタイプのリフト組立体からなり、これらリフト組立体は当該技術分野では周知であって、市販されている。リフト組立体２１１８は、ウェーハ２１２２の搬送用にすると共に種々の垂直方向位置相互間におけるウェーハホルダ組立体２１０４上でのウェーハ２１２２の位置決めを容易にする。回転組立体２１２０は好ましくは、リフト組立体の下に取り付けられた回転モータからなる。回転組立体２１２０は、ウェーハ２１２２をエッジビード除去中、回転させる。
【００４１】
ウェーハホルダ組立体２１０４は好ましくは、真空チャック２１２４を有し、この真空チャックは、ウェーハ２１２２をウェーハの裏側から固定し、ウェーハエッジ２１２６を妨害しない。好ましくは、環状シール２１２８、例えば圧縮可能なＯリングが、エッジビード除去中に用いられる流体及び化学薬品から真空チャック２１２４を密封するために真空チャック表面の周囲部分のところに設けられている。ウェーハホルダ組立体２１０４は好ましくは、ウェーハを搬送ロボットのロボットブレードからウェーハホルダ組立体２１０４へ搬送しやすくするウェーハリフト２１３０を有する。ウェーハリフト２１３０は図２７に示すように、スパイダクリップ組立体を有し、このスパイダクリップ組立体も又、ウェーハをスピン−リンス−ドライ作業中に固定するのに用いることができる。スパイダクリップ組立体は、環状ペース２１３６から延びる複数のアーム２１３４及びアーム２１３４の末端部に回動自在に設けられたスパイダクリップ２１３８を有する。環状ベース２１３６は、処理中に用いられる流体を容器２１０２の内側に収容するよう上向き内壁２１１４とオーバーラップする下方に延びる壁２１３７を有する。スパイダクリップ２１３８は、ウェーハを受け入れる上面２１４０、ウェーハをクランプするクランプ部分２１４２及び下方部分２１４４を有し、この下方部分２１４４により、クランプ部分２１４２は、ウェーハホルダ組立体を回転させた時の遠心力によりウェーハのエッジに係合する。変形例として、ウェーハリフト２１３０は、種々のウェーハ処理装置において一般に用いられるウェーハリフト、例えばリフトプラットホーム上に設けられる１組のリフトピン又はリフトフープ又は真空チャック本体内又はその周りに設けられるリフトリングを有する。
【００４２】
流体／化学薬品送出し組立体２１０６は、１又は２以上のディスペンスアーム２１５２上に設けられた１又は２以上のノズル２１５０を有する。ディスペンスアーム２１５２は、容器側壁２１０８を貫通して延び、アクチュエータ２１５４に取り付けられており、このアクチュエータ２１５４は、基板２１２２上のノズル２１５０の位置を変えるよう伸縮する。伸縮可能なディスペンスアーム２１５２を設けることにより、ノズルをウェーハの内側部分からウェーハのエッジに差し向けるようノズルをウェーハ上に位置決めすることができ、これにより、ウェーハエッジへのエッチング剤／流体の送出しの制御性がよくなる。変形例として、ディスペンスアーム２１５２は、容器の側壁２１０８にしっかりと取り付けられ、ノズル２１５０は、容器２１０２内での垂直方向のウェーハ運動を邪魔しない位置でディスペンスアームに固定される。
【００４３】
好ましくは、ディスペンスアーム２１５２は、これを貫通して延びていて、ノズル２１５０をエッチング剤源に連結する１又は２以上の導管を有する。堆積金属を基板から除去するための種々のエッチング剤、例えば硝酸及び市販の他の酸が当該技術分野で周知である。変形例として、ノズル２１５０は、ディスペンスアーム２１５２内の導管を通って設けられた可撓性管２１５６中に連結される。ノズル２１５０を、１又は２以上の化学薬品／流体源、例えば、脱イオン水源２１６０及びエッチング剤源２１６２に選択的に連結でき、コンピュータ制御装置２１６４がこの連結状態を、所望のプログラムにしたがって１又は２以上の流体／化学薬品源相互間で切り換える。変形例として、第１の組をなすノズルが、脱イオン水源に連結され、第２の組をなすノズルがエッチング剤源に連結され、ノズルは流体をウェーハに送るよう選択的に動作状態にされる。
【００４４】
好ましくは、追加の組をなす下側ノズル２１７０が、好ましくはノズル２１５０の位置に垂直方向に一致して整列した状態でウェーハの下の位置に設けられる。下方ノズル２１７０は、脱イオン水源２１６０及びエッチング剤源２１６２に選択的に連結され、ノズル２１７０によって送り出される流体は、制御装置２１６４によって制御される。好ましくは、ノズル２１７０は、流体をウェーハの裏側の周囲部分に送り出すよう差し向けられる。下方ノズル２１７０は好ましくは、ウェーハリフト２１３０の動作を邪魔しない位置に設けられる。下方ノズル２１７０を、アーム２１７６を介してアクチュエータ２１７４に取り付けてもよく、このアーム２１７６は、ノズル２１７０を所望位置に位置決めするよう伸縮する。変形例として、下方ノズル２１７０を妨害しないようにするためにウェーハリフト２１３０を処理中回転させない。ＥＢＲ／ＳＲＤモジュール２２００は好ましくは、脱イオン水をウェーハの上面の中央部分に送り出すよう設けられた専用脱イオン水ノズル２１７２をさらに有する。
【００４５】
好ましくは、ノズル２１５０は、流体を実質的に接線方向でウェーハの周囲部分の近くにもたらすような角度に配置されている。図２８は、エッジビーム除去を行うためのノズル位置の一例を示すＥＢＲ／ＳＲＤモジュールの平面図である。図示のように、３つのノズル２１５０は、容器の側壁２１０８の内面の周りに実質的に等間隔をおいて設けられている。角ノズル２１５０は、流体をウェーハのエッジ部分にもたらすよう配置されると共にウェーハを処理位置と搬送位置との間で垂直方向に運動させることができるのに十分なスペースを開けるよう位置決めされている。好ましくは、流体送出し又はスプレーパターンは、ノズルの形状及び流体の圧力によって制御され、それにより流体の送出しを選択されたエッジ除外領域に限定する。例えば、エッチング剤は、３mm分のエッジ除外を達成するためウェーハの外側の３mm環状部分に制限される。ノズルは、エッチング剤を、エッチング剤がウェーハに接触するとエッチングの跳ね掛けを制御するウェーハ表面への入射角度でもたらすよう位置決めされている。図２９は、処理中のウェーハ２１２２に対して設けられたノズル２１５０の側面図である。好ましくは、ウェーハに対するエッチング剤の入射角αは、約０°〜約４５°、より好ましくは約１０°〜約３０°である。
【００４６】
ウェーハ２１２２を、エッジビーム除去中、回転させてウェーハの周囲部分のところでのエッチングに対する暴露を実質的に等しくする。好ましくは、ウェーハ２１２２を、エッチング剤のスプレーパターンの方向と同一方向に回転させてエッジビーム除去の制御を容易にする。例えば、図２８に示すように、ウェーハを、反時計回りのスプレーパターンと一致した反時計回りの方向（矢印Ａ）に回転させる。ウェーハを好ましくは、約１００ｒｐｍ〜約１０００ｒｐｍ、より好ましくは約５００ｒｐｍ〜約７００ｒｐｍで回転させる。有効エッチング速度（即ち、除去に必要な時間で割った銅の除去量）は、エッチング剤のエッチング速度、ウェーハのエッジに接触するエッチング剤の速度、エッチング剤の温度及びウェーハの回転速度の関数である。これらパラメータを変化させると、特定の所望の結果を達成することができる。
【００４７】
動作原理を説明すると、ウェーハ２１２２をＥＢＲ／ＳＲＤモジュール２１００のウェーハホルダ組立体２１０４上に配置し、２１３０がウェーハを搬送ロボットのブレードから持ち上げる。ロボットブレードが引っ込み、ウェーハリフト２１３０がウェーハを真空チャック２１２４上に下降させる。真空装置を作動させてウェーハ２１２２をこの上に固定し、ウェーハが載っているウェーハホルダ組立体２１０４を、ノズル２１５０がエッチング剤をウェーハ２１２２の周囲部分上に送り出しているときに回転させる。好ましくは、下方ノズル２１７０もまた、エッチング剤を、エッジビーム除去中、ウェーハの裏側に送り出す。好ましくは、脱イオン水ノズル２１７２が、エッジビーム除去中、脱イオン水をウェーハの中央部分に送り出してウェーハ表面の中央部分上に跳ね掛かったエッチング剤による意図しないエッチングを防止する。エッチング作業を、ウェーハエッジ上の過剰の堆積部（即ち、エッジビード）を除去するのに十分な所定の期間にわたって実施する。好ましくは、スピン−リンス−ドライ法で脱イオン水を用いてウェーハをクリーニングする。スピン−リンス−ドライ法は代表的には、脱イオン水をウェーハに送り出して残留エッチング剤をウェーハから洗い落とす段階及びウェーハを高速で回転させてウェーハを乾燥させる工程を含む。スピン−リンス−ドライ作業の場合、好ましくは、ノズル２１５０，２１７０，２１７２はすべて、脱イオン水を送り出してウェーハの回転中にウェーハをリンスする。ウェーハのリンス後、ウェーハを回転乾燥させて、次の処理のためにＥＢＲ／ＳＲＤモジュール２２００から運び出す。
【００４８】
ＥＢＲ／ＳＲＤモジュール２２００又はＳＲＤモジュール２３８は、ローディングステーション２１０に隣接して設けられており、ローディングステーション２１０とメインフレーム２１４との間の連結手段として役立つ。図２及び図３に戻ると、メインフレーム２１４は、図示のように、互いに反対側の側部に設けられた２つの処理ステーション２１８を有し、各処理ステーション２１８は、２つの処理セル２４０を有している。メインフレーム搬送ステーション２１６は、メインフレーム上における種々のステーション相互間の基板搬送を可能にするよう中央に設けられたメインフレーム搬送ロボット２４２を有している。好ましくは、メインフレーム搬送ロボット２４２は、複数の個々のロボットアーム２１０２を有し、これらロボットアーム２４０２は、処理ステーション２１８、ＳＲＤステーション２１２、シード層補修ステーション及びメインフレーム上に設けられ又はこれと関連して設けられた他の処理ステーション内のウェーハに別個独立に接近できる。図３に示すように、メインフレーム搬送ロボット２４２は、処理ステーション２１８の１個あたりの処理セル２４０の数に一致する２つのロボットアーム２４０２を有している。各ロボットアーム２４０２は、ウェーハ搬送中ウェーハを保持するエンドエフェクタ２４０４を有している。好ましくは、各ロボットアーム２４０２は、システム中におけるウェーハの別個独立の搬送を容易にするよう他のアームとは別個独立に動作可能である。変形例として、ロボットアーム２４０２は、１つのロボットアームが延びる際に他のロボットアームが引っ込むようにリンクした状態で動作する。
【００４９】
好ましくは、メインフレーム搬送ステーション２１６は、メインフレーム搬送ロボット２４２上に設けられた足ひれ状ロボットエンドエフェクタ２４０４を有し、この足ひれ状ロボットエンドエフェクタは、ウェーハの面を下にした処理を必要とする処理セル２４０の場合に、ウェーハを面を上向きにした位置から面を下向きにした位置に移しやすくする。足ひれ状ロボットエンドエフェクタ２４０４は、足ひれ状ロボットエンドエフェクタ２４０４に沿う水平方向軸線沿いの回転運動を可能にする。好ましくは、足ひれ状ロボットエンドエフェクタ２４０４の末端部のところに設けられた真空吸引グリッパ２５４が、ウェーハをひっくり返して足ひれ状ロボットエンドエフェクタ２４０４によって運ばれている時にウェーハを保持する。足ひれ状ロボットエンドエフェクタ２４０４は、面を下にした処理が可能になるようウェーハ２３４を処理セル２４０内に位置決めする。本発明の電気めっき処理セルの詳細については以下に説明する。
【００５０】
図３は、足ひれ状ロボットが組み込まれたメインフレーム搬送ロボットを示している。メインフレーム搬送ロボット２４２は図２４に示すように、ウェーハをメインフレームに取り付けられた種々のステーション相互間で搬送するのに役立ち、かかるステーションとしては、処理ステーション及びＳＲＤステーションが挙げられる。メインフレーム搬送ロボット２４２は、複数のロボットアーム２４０２（２つ示している）を有し、足ひれ状ロボット２４０２が、ロボットアーム２４０２の各々のエンドエフェクタとして取り付けられている。足ひれ状ロボットは当該技術分野で一般に知られており、これをウェーハ取扱いロボット、例えばカリフォルニア州ミルピタス所在のローゼ・オートメーション・インコーポレーテッド（Rorze Automation, Inc.）から入手できるモデルＲＲ７０１のエンドエフェクタとして取り付けることができる。エンドエフェクタとして足ひれ状ロボットを備えたメインフレーム搬送ロボット２４２は、基板をメインフレームに取り付けられた種々のステーション相互間で搬送できると共に搬送中の基板を所望の表面配向状態にひっくり返すことができ、例えば、基板の処理面は、電気めっき法の場合、下向きになる。例えば、足ひれ状ロボットは、基板の処理面を、処理セル２４０内における電気めっきのために面を下にひっくり返し、そして他の処理、例えばスピン−リンス−ドライ作業の場合、基板の処理面を面を上にひっくり返す。好ましくは、メインフレーム搬送ロボット２４２は、ロボットアーム２４０２によってＸ−Ｙ−Ｚ軸に沿う別個独立のロボット運動を可能にすると共に足ひれ状ロボットエンドエフェクタ２４０２により別個独立の基板裏返し回転を可能にする。足ひれ状ロボット２４０４をメインフレーム搬送ロボットのエンドエフェクタとして組み込むことにより、ウェーハ搬送作業は、メインフレーム搬送ロボットから足ひれ状ロボットへのウェーハの移送段階が省略されるので単純化される。
【００５１】
好ましくは、１又は２以上の無電気（又は、無電解）めっきセル又はモジュールが、シード層補修ステーション２１５内に設けられる。無電気めっきセル（なお、本明細書においては、無電気めっき処理（ＥＤＰ）セルという）は、無電気めっき法を行う。ＥＤＰセルを、基板の入口から見て遠くに位置した電気めっき装置プラットホーム２００の後方部分のところに設けるのがよい。図示の実施形態では、２つのＥＤＰセルをスループット量を多くするため並置するのがよい。
【００５２】
図２４は、１つのＥＤＰセル３０１０の断面図である。ＥＤＰセル３０１０は、底部３０１２、側壁３０１４及び斜めに配置された上方シールド３０１６を有し、上方シールドは、側壁３０１４に取り付けられていて、その中間部は開口している。変形例として、着脱自在なカバー（図示せず）を用いてもよい。ペデスタル３０１８が、全体としてセル３０１０の中央部分内に設けられ、ペデスタルアクチュエータ３０２０を有している。ペデスタルアクチュエータ３０２０は、ペデスタル３０１８を回転させてこの上に取り付けられた基板３０２２を約１０〜約２０００ｒｐｍで回転させる。基板の温度が約１５℃〜約１００℃、好ましくは約６０℃になるようにペデスタルを加熱するのがよい。ペデスタルリフト３０２４が、ペデスタル３０１８を昇降させる。基板３０２２を、ペデスタル３０１８の頂部に取り付けられた真空チャック３０２６で定位置に保持するのがよい。加うるに、ペデスタル３０１８は、基板３０２２を、複数のクランプ３０２８と整列した垂直位置まで下降させることができる。クランプ３０２８は、遠心力で回動して基板３０２２に好ましくは基板のエッジのところに係合する。ペデスタル３０１８は下方に設けられた環状シールド３０３０をさらに有し、この環状シールド３０３０は、セル３０１０の底部に結合された状態でこれに対応して上方に設けられた環状シールド３０３２よりも直径が大きい。２つの環状シールド３０３０，３０３２の相互作用により、ペデスタル３０１８及び関連構成部品がセル３０１０内の流体から保護される。少なくとも１つの流体出口３０３４が、流体をセルから流出させることができるようセル３０１０の底部に設けられている。
【００５３】
無電気めっき流体を流通させる第１の導管３０３６が、セル３０１０に結合されている。導管３０３６は、ホース、パイプ、管又は他の流体収容導管であるのがよい。無電気めっき流体弁３０３８が、無電気めっき流体の流量を制御し、本明細書で開示した弁は、ニードル弁、グローブ弁、蝶形弁又は他の形式の弁であるのがよく、またこれら弁は、弁アクチュエータ、例えばソレノイドを有するのがよい。無電気めっき流体容器３０４４が、制御装置３０４０で制御できる弁３０３８に連結されている。一連の弁３０４２ａ〜３０４２ｆが、種々の化学薬品源（図示せず）に結合されており、この場合、弁３０４２ａ〜３０４２ｆを制御装置３０４０を用いて別個独立に制御することができる。好ましくは、無電気めっき流体を、必要に応じ、導管３０３６及びこれと関連した要素への時期尚早な無電気めっきを避けるために堆積前の時間をそれほど長くしないで基板３０２２上への堆積のための個々の塗布量で混合する。したがって、弁３０３８，３０４２ａ〜３０４２ｆは好ましくは、セル３０１０に密接して配置される。第１の導管３０３６が、基板を下方位置に配置したときに基板３０２２の上方に位置する第１の流体入口３０４６に連結され、好ましくは、関節連結部材３０４８、例えば玉継手に結合され、入口３０４６の運動を可能にすると共にセル３０１０内における入口３０４６の角度調整を可能にする。第１のノズル３０５０が、入口３０４６の端部に連結され、ペデスタル３０１８に差し向けられている。流体は全体として、スプレーパターンで送り出され、かかるスプレーパターンは、特定の所望ノズルスプレーパターンに応じて様々であるのがよく、かかるパターンとしては、扇形、ジェット形、円錐形及び他のパターンが挙げられる。好ましくは、ノズル３０５０は、基板を妨害しないで昇降させることができるよう基板３０２２の周囲の外部に設けられる。変形例として、ノズル３０５０を横方向、垂直方向又はこの幾つかの組み合わせの方向に移動させて基板を上昇させ又は下降させる時に基板の垂直方向隙間を生じさせるアクチュエータ（図示せず）を用いてノズル３０５０をセル３０１０の周囲に向かって関節連結してもよい。
【００５４】
第１の導管及び関連の要素と同様に、第２の導管３０５２は、側壁３０１４を貫通して設けられている。第２の導管３０５２は、リンス流体、例えば脱イオン水又はアルコールの経路となり、このリンス流体は、無電気めっき後、基板３０２２をリンスするのに用いられる。第２の入口３０５４が、第２の導管３０５２に連結され、第２のノズル３０５６が第２の入口３０５４に連結されている。関節連結部材３０５９が第２の入口３０５４に結合され、かかる関節連結部材を用いてセル３０１０に対する入口の運動及び角度調整を可能にすることができる。第２の弁３０５８が、第２の導管３０５２に連結され、この第２の弁は好ましくは、リンス流体のタイミング及び流量を制御する。第２の導管はまた、低濃度の酸又は流体の源及び流体を制御するための弁に結合するのがよい。変形例として、酸源を別個の導管（図示せず）に結合してもよい。例示の流体としては、塩酸、硫酸、燐酸、弗化水素酸又は電気めっき法に先立って酸化及び他の汚染要因物から層を保護するために無電気めっき後に基板表面を被覆するのに用いることができる他の液体又は流体が挙げられる。かくして、基板を次に行う処理、例えば「濡れた」状態で電気めっきを行うよう移送して酸化物及び他の汚染要因物を最小限に抑えるのがよい。もし基板が無電気めっき法の実施後に所定期間にわたって面を上にした位置に維持されていれば濡れた状態での搬送を一段と行いやすくなる。
【００５５】
制御装置３０４０は好ましくは、各弁及びかくして各流体タイミング及び流量を制御する。制御装置３０４０は好ましくは、基板のスピン及びペデスタル、かくしてこの上に載置された基板の昇降を制御する。制御装置３０４０を、例えば制御盤又は制御室内に遠隔配置するのがよく、給排水設備を遠隔アクチュエータで制御するのがよい。
【００５６】
動作原理を説明すると、ロボット（図示せず）は、基板３０２２を上向きにＥＤＰセル３０１０まで送る。基板３０２２上にはシード層が既に例えばＰＶＤ又はＩＭＰ処理法により被着されている。ペデスタル３０１８が上昇し、真空チャック３０２６が基板３０２２の下面に係合する。ロボットが引っ込み、ペデスタル３０１８が処理高さ位置まで下降する。制御装置３０４０は、弁３０４２ａ〜３０４２ｆを作動させて化学薬品を無電気流体容器３０４４内に入れ、化学薬品を混合し、制御装置は、無電気めっき流体弁３０３８を作動させてこれを開き、それにより或る量の無電気めっき流体を第１の入口３０４６に注入しそして第１のノズル３０５０に通す。好ましくは、ペデスタル３０１８は約１０〜約５００ｒｐｍの比較的遅い速度で回転し、かくしてある量の流体が基板３０２２を一様に被覆できるようになる。流体を基板全体にわたり一様に広げるのに役立つようにするために基板の方向を交互に逆にするのがよい。無電気めっき流体弁３０３８を閉じる。無電気めっき流体は、自動触媒作用であらかじめ被着されたシード層上に層を形成し、先に被着された層の空所を互いに結合して高いアスペクト比の特徴をしていてもより完全な被膜が得られるようにする。好ましくは、無電気めっき法は、たいていの基板について約１００Å〜約４００Åのめっきを行う。
【００５７】
第２の弁３０５８が開き、リンス流体が第２の導管３０５２を通って流れ、第２のノズル３０５６を通って基板３０２２上にスプレーされる。好ましくは、ペデスタル３０１８は残りの無電気めっき流体を基板３０２２からリンスし、出口３０３４を通って排出して廃棄しながら、約１００〜約５００ｒｐｍの早い速度で回転する。基板を酸又は他の被覆流体で被覆するのがよい。場合によっては、ペデスタル３０１８は、約５００〜約２０００ｒｐｍの早い速度でスピン（回転）して基板３０２２を回転乾燥させることができる。
【００５８】
ペデスタル３０１８は、回転を停止し、基板３０２２をＥＤＰセル３０１０の上方の位置まで上昇させる。真空チャック３０２６は、基板３０２２を離し、ロボットは電気めっきセル内での次の処理のために基板を取り出す。
【００５９】
図６は、本発明の電気めっき処理セル４００の断面図である。図６に示すような電気めっき処理セル４００は、図２及び図３に示すような電気めっき処理セル２４０と同一である。処理セル４００は主要構成要素として、ヘッド組立体４１０、処理キット４２０及び電解液コレクタ４４０を有している。好ましくは、電解質コレクタ４４０は、処理キット４２０の配設場所を定める開口部４４３を覆った状態でメインフレーム２１４の本体４４２に固定されている。電解液コレクタ４４０は、内壁４４６、外壁４４８及びこれらの壁を互いに連結する底部４４７を有している。電解液出口４４９が、電解液コレクタ４４０の底部４４７を貫通して設けられ、この出口は、管、ホース、パイプ又は他の流体搬送コネクタを介して電解液補給装置２２０（図２参照）に連結されている。
【００６０】
ヘッド組立体４１０は、ヘッド組立体フレーム４５２に取り付けられている。ヘッド組立体フレーム４５２は、取付け支柱４５４及び片持ちアーム４５６を有している。取付け支柱４５４は、メインフレーム２１４の本体４４２に取り付けられ、片持ちアーム４５６は、取付け支柱４５４の上方部分から側方に延びている。好ましくは、取付け支柱４５４は、ヘッド組立体４１０の回転を可能にするために取付け支柱に沿う垂直方向軸線に対して回転運動を生じさせる。ヘッド組立体４１０は、片持ちアーム４５６の末端部のところに設けられた取付けプレート４６０に取り付けられている。片持ちアーム４５６の下端部は、取付け支柱４５４に取付けられた片持ちアームアクチュエータ４５７、例えば空気圧シリンダに連結されている。片持ちアームアクチュエータ４５７は、片持ちアーム４５６と取付け支柱４５４との間の結合部に対する片持ちアーム４５６の回動運動を可能にする。片持ちアームアクチュエータ４５７を引っ込めると、片持ちアーム４５６はヘッド組立体４１０を処理キット４２０から遠ざけて処理キット４２０を電気めっき処理セル４００から取り出すと共に（或いは）交換するのに必要な間隔を生じさせる。片持ちアームアクチュエータ４５７を伸長させると、片持ちアーム４５６はヘッド組立体４１０を処理キット４２０に近付けてヘッド組立体４１０内のウェーハを処理位置に位置決めする。
【００６１】
ヘッド組立体４１０は主要構成要素として、ウェーハホルダ組立体４５０及びウェーハ組立体アクチュエータ４５８を有している。ウェーハ組立体アクチュエータ４５８は、取付けプレート４６０に取り付けられ、取付けプレート４６０を貫通して下方に延びるヘッド組立体シャフト４６２を有している。ヘッド組立体シャフト４６２の下端部は、ウェーハホルダ組立体４５０を処理位置及びウェーハローディング位置に位置決めするようウェーハホルダ組立体４５０に連結されている。
【００６２】
ウェーハホルダ組立体４５０は主要構成要素として、ウェーハホルダ４６４及び陰極接点リング４６６を有している。図７は、本発明の陰極接点リング４６６の一実施形態の断面図である。一般に、接点リング４６６は、複数の導電性部材が設けられた環状本体を有している。環状本体は、複数の導電性部材を電気的に絶縁するよう絶縁材料で作られている。本体及び導電性部材は一緒になって、直径方向内側基板着座面を形成し、この着座面は、処理中、基板を支持し、これに電流を流す。
【００６３】
次に図７を詳細に参照すると、接点リング４６６は主要構成要素として、環状絶縁本体７７０内に少なくとも部分的に設けられた複数の導電性部材７６５を有している。絶縁本体７７０は、フランジ７６２及び下方に傾斜した肩部分７６４を備えた状態で示されており、この肩部分は、フランジ７６２の下に位置した基板着座面７６８に通じていて、フランジ７６２及び基板着座面７６８が、互いにずれて実質的に互いに平行な平面内に位置するようになっている。かくして、フランジ７６２は、第１の平面を構成すると考えることができ、基板着座面７６８は、第１の平面に平行な第２の平面を定め、肩７６４はこれら２つの平面相互間に位置する。しかしながら、図７に示す設計の接点リングは、単なる例示であることが意図されている。別の実施形態では、肩部分７６４は、フランジ７６２と基板着座面７６８の両方に実質的に垂直であるように実質的に垂直な角度を含む急角度のものであってもよい。変形例として、接点リング４６６は、実質的に平らであってもよく、それにより肩部分７６４が不要になる。しかしながら、以下に説明する理由で、好ましい実施形態は、図６に示す肩部分７６４又はその或る程度の設計変更部分を有する。
【００６４】
導電性部材７６５は、フランジ７６２上に環状に設けられた複数の外側電気接点パッド７８０、基板着座面７６８の一部上に設けられた複数の内側電気接点パッド７７２及びパッド７７２，７８０を互いに連結する複数の埋め込み状態の導電性コネクタ７７６によって構成されている。導電性部材７６５は、絶縁本体７７０によって互いに絶縁されており、この絶縁本体は、プラスチック、例えばポリ弗化ビニリデン（ＰＶＤＦ）、ペルフルオロアルコキシ樹脂（ＰＦＡ）、テフロン（Teflon：登録商標）、テフゼル（Tefzel：登録商標）又は任意他の絶縁材料、例えばアルミナ（Ａｌ2  Ｏ3  ）又は他のセラミックスで作られたものであるのがよい。外側接点パッド７８０は、電源（図示せず）に結合されていて、処理中コネクタ７７６を介して電流及び電圧を内側接点パッド７７２に送るようになっている。内側接点パッド７７２は、基板の周囲部分周りの接触を維持することにより基板に電流及び電圧を供給する。かくして、動作中、導電性部材７６５は、基板に電気的に接続された別々の電流路として役立つ。
【００６５】
抵抗率が低いこと、逆に言えば導電性が高いことは、良好なめっきと直接関連している。抵抗率を低くするため、導電性部材７６５は好ましくは、銅（Ｃｕ）、プラチナ（Ｐｔ）、タンタル（Ｔａ）、チタン（Ｔｉ）、金（Ａｕ）、銀（Ａｇ）、ステンレス鋼又は他の導電性材料で作られる。低抵抗率及び低接触抵抗は又、導電性部材７６５を導電性材料で被覆することによっても達成できる。かくして、導電性部材７６５を例えば、銅（銅の抵抗率は、約２×１０-8Ω・ｍ）で作り、プラチナ（プラチナの抵抗率は、約１０．６×１０-8Ω・ｍ）で被覆するのがよい。被膜、例えば窒化タンタル（ＴａＮ）、窒化チタン（ＴｉＮ）、ロジウム（Ｒｈ）、Ａｕ、Ｃｕ、又はＡｇを導電性基材、例えばステンレス鋼、モリブデン（Ｍｏ）、Ｃｕ及びＴｉ上に被着させてもよい。さらに、接点パッド７７２，７８０は代表的には、導電性コネクタ７７６に接着された別個のユニットなので、接点パッド７７２，７８０は、一方の材料、例えばＣｕ及び他方の導電性部材７６５、例えばステンレス鋼から成るのがよい。パッド７７２，７８０のいずれか一方又は両方及び導電性コネクタ７７６を導電性材料で被覆するのがよい。さらに、めっきの再現性が絶縁体として働く酸化物によって悪影響を受ける場合があるので、内側接点パッド７７２は好ましくは、耐酸化性の材料、例えばＰｔ、Ａｇ又はＡｕから成る。
【００６６】
各回路の全抵抗は、接点材料の関数であることに加えて、内側接点パッド７７２の幾何学的寸法又は形状及び接点リング４６６によって供給される力に依存している。これら要因は、２つの表面相互間の凹凸に起因して内側接点パッド７７２と基板着座面７６８の境界部のところに集中抵抗ＲCRを定める。一般に、加えられた力が大きいと、見かけの面積もまた大きい。見かけの面積は、ＲCRに反比例するので見かけの面積が増大すると、その結果ＲCRが減少する。かくして、全抵抗を最小限に抑えるためには、力を最大にすることが好ましい。動作中加えられる最大の力は、過度の力及びその結果生じる圧力を受けた状態で損傷する場合のある基板の降伏強さによって制限される。しかしながら、圧力は力と面積の両方に関連しているので、耐えることができる最大の力もまた、内側接点パッド７７２の幾何学的形状に依存している。かくして、接点パッド７７２は、図７に示すような平らな上面を有するのがよいが、他の形状も又、有利に使用できる。例えば、２つの好ましい形状が、図８及び図９に示されている。図８は、刃先（ナイフエッジ）の形をした接点パッドを示し、図９は、半球形の接点パッドを示している。当業者であれば、他の形状を有利に使用できることは理解されよう。接触の幾何学的形状、力及び抵抗相互間の関係についての一層詳しい説明が、ケニース・イー・ピットニイ（Kenneth E. Pitney ）著“Ney Contact Manual”（The J. M. Companey, 1973）に記載されており、かかる文献の内容全体を本明細書の一部を形成するものとしてここに引用する。
【００６７】
コネクタ７７６の数を、所望の接点パッド７７２（図７に示す）の特定の数に応じて様々であってよい。２００mm基板の場合、好ましくは、少なくとも２４個のコネクタ７７６が３６０°にわたって等角度間隔に設けられている。しかしながら、コネクタの数が限界レベルに達すると、接点リング４６６に対する基板のコンプライアンスに悪影響が生じる。したがって、２５個以上のコネクタ７７６を用いることができるが、最終的には、接点パッド７７２の地形学的特徴及び基板の剛性に応じて接触の一様性が減少する場合がある。これと同様に、２３個以下のコネクタ７７６を用いた場合、電流はますます限流されて局所化され、これによりめっき結果が不良になる。本発明の寸法形状は特定の用途（例えば、３００mm基板）に合わせて容易に変えられるので、最適の数を様々な比率及び実施形態に合わせて容易に決定できる。
【００６８】
図１０に示すように、基板着座面７６８は、絶縁本体７７０上に設けられていて、接点リング４６６の内周部を構成するよう内側接点パッド７７２まで直径方向内側に延びる絶縁ガスケット７８２を有している。絶縁ガスケット７８２は好ましくは、内側接点パッド７７２の上に僅かに（例えば、数ミル）延び、好ましくは、エラストマ、例えばヴィトン（Viton ：登録商標）、テフロン（Teflon：登録商標）、ブナラバ（buna rubber:登録商標）等から成る。絶縁本体７７０も又、エラストマから成る場合、絶縁ガスケット７８２はこれと同一の材料で作られたものであるのがよい。かかる実施形態では、絶縁ガスケット７８２及び絶縁本体７７０は、一体形のもの、即ち、単一部品として形成されるのがよい。しかしながら、絶縁ガスケット７８２は好ましくは、絶縁本体７７０とは別体であり、交換又はクリーニングが行えるよう容易に取り外すことができるようになっている。
【００６９】
図１０は、絶縁ガスケット全体が絶縁本体７７０上に着座する絶縁ガスケット７８２の好ましい実施形態を示しているが、図８及び図９は、変形実施形態を示している。かかる変形実施形態では、絶縁本体７７０は部分的に切削されて連結部材７７６の上面を露出させており、絶縁がスケット７８２はこの上に設けられている。かくして、絶縁ガスケット７８２は、連結部材７７６の一部と接触している。この設計では、内側接点パッド７７２に用いられる所要材料の量が少なく、これは、材料費が相当高い場合、例えば内側接点パッド７７２が金で作られる場合に有利である。当業者であれば、本発明の範囲から逸脱しない他の実施形態を想到できよう。
【００７０】
処理中、絶縁ガスケット７８２は、基板めっき面の周囲部分との接触状態を保ち、残りの陰極接点リング４６６と基板との間のシールを構成するよう圧縮される。このシールは、電解液が基板のエッジ及び裏面に接触しないようにする。上述のように、清浄な接触面を維持することは、高いめっき再現性を達成する上で必要である。従来設計の接点リングは、首尾一貫しためっき結果を生じさせない。というのは、接触面の地形学的特徴が時間の経過につれて変わるからである。本発明の接点リングは、もし本発明のように構成しなければ、内側接点パッド７７２上に堆積し、これらの特性を変える場合のあるデポジットを無くし又は実質的に最小限に抑さえ、それにより、高い再現性、首尾一貫性及び基板のめっき表面全体上への一様なめっき度が得られる。
【００７１】
図１１は、接点リング４４６の電気回路の考えられる構成を表す単純化された略図である。導電性部材７６５相互間に一様な電流分布を得るために、外部抵抗器７００が、導電性部材７６５の各々に直列に接続されている。好ましくは、外部抵抗器７００の抵抗値（ＲEXT  で表される）は、回路の他のどの構成部品の抵抗よりも非常に大きい。図１１に示すように、各導電性部材７６５を通る電気回路は、電源７０２に直列に接続された構成部品の各々の抵抗によって表される。ＲE  は、電解質の抵抗を表し、これは、一般に、陽極と陰極接点リングとの間の距離及び電解液の化学的組成に依存している。かくして、ＲA  は、基板のめっき表面７５４に隣接した電解液の抵抗を表す。ＲS  は、基板のめっき面７５４の抵抗を表し、ＲC  は、陰極導電性部材７６５の抵抗に、内側接点パッド７７２と基板めっき層７５４との間の境界部のところに結果的に得られる集中抵抗を加えたものを表す。一般に、外部抵抗器からの抵抗値（ＲEXT  ）は、ΣＲよりも少なくとも大きい（ここで、ΣＲは、ＲE  、ＲA  、ＲS  及びＲC  の合計に等しい）。好ましくは、外部抵抗器の抵抗値（ＲEXT  ）は、ΣＲよりも非常に大きく、ΣＲは無視できる程であり、各直列回路の抵抗はほぼＲEXT  である。
【００７２】
代表的には、一つの電源が、陰極接点リング４６６の外側接点パッド７８０の全てに接続されていて、その結果、内側接点パッド７７２を通る並列回路が形成されている。しかしながら、内側接点パッドと基板の境界部の抵抗は、各内側接点パッド７７２で異なるので、抵抗が最も低いところでより多くの電流が流れ、かくして多量のめっきが生じることになろう。しかしながら、外部抵抗器を各導電性部材７６５に直列に設けることにより、各導電性部材７６５を通って流れる電流の値又は量は、主として外部抵抗器の値によって制御されるようになる。その結果、内側接点パッド７７２相互間の電気的性質のばらつきは、基板上の電流分布に影響を及ぼさず、一様な電流密度がめっき面全体に生じ、これは一様なめっき厚さが得られる原因となる。内部抵抗器はまた、プロセスシーケンスの互いに異なる基板相互間の一様な電流分布を生じさせる。
【００７３】
本発明の接点リング４６６は内側接点パッド７７２上のデポジットの発生に抵抗するよう設計されているが、多数回の基板めっきサイクルにわたり、基板とパッドの境界部の抵抗は増大する場合があり、最終的に許容限度を越えるほどの値に達する。電子センサ／アラーム７０４を外部抵抗器７００の両端に接続して外部抵抗器の両端の電圧／電流をモニターしてこの問題を解決するのがよい。外部抵抗器７００両端の電圧／電流が基板とパッドとの間の高い抵抗を表す所定の動作範囲から外れると、センサ／アラーム７０４は是正措置、例えばめっき法の実施停止をトリガし、ついには問題がオペレータによって是正されるようになる。変形例として、別個の電源を各漏電性部材７６５に接続して、別々に制御すると共にモニターして基板全体に一様な電流分布を生じさせるようにしてもよい。電流の流れを調節するためにベリースマートシステム（very smart system ：ＶＳＳ）をさらに用いるのがよい。ＶＳＳは代表的には、処理ユニット及び電流を供給すると共に（或いは）制御するのに用いられる当業界で知られた装置、例えば可変抵抗器、別個の電源等の任意の組合せから成る。内側接点パッド７７２の物理化学的性質及びそれ故に電気的性質は時間の経過につれて変わるので、ＶＳＳはデータフィードバックを処理して分析する。データは、前もって設定した値と比べられ、ＶＳＳは次に、適当な電流及び電圧の変更を行って一様な堆積又はめっきが得られるようにする。
【００７４】
図１８は、陰極接点リングの変形実施形態の斜視図である。図１８に示すような陰極接点リング１８００は、導電性金属又は金属合金、例えばステンレス鋼、銅、銀、金、プラチナ、チタン、タンタル及び他の導電性材料、或いは導電性材料、例えばプラチナで被覆されたステンレンス鋼の組合せからなる。陰極接点リング１８００は、陰極接点リングをウェーハホルダ組立体に取り付けるようになった上方取付け部分１８１０及び基板を受け入れるようになった下方基板受入れ部分１８２０を有している。基板受入れ部分１８２０は、複数の接点パッド又はバンプ１８２４が好ましくは等角度間隔をおいて設けられた環状基板着座面１８２２を有している。基板を基板着座面１８２２上におくと、接点パッド１８２４は、基板の周囲領域に物理的に接触して基板堆積面上の電気めっきシード層に電気的に接触する。好ましくは、接点パッド１８２４は、酸化に対して耐性がある貴金属、例えばプラチナ又は金で被覆される。
【００７５】
陰極接点リングの露出面は、基板と接触する接点パッドの表面を除き、好ましくは、親水性の表面となるよう処理され、或いは、親水性を示す材料で被覆される。親水性物質及び親水性表面処理は、当該技術分野で公知である。親水性表面処理法を提供する業者の一つは、マサチューセッツ州レッドフォード所在のミリポア・コーポレーション（Millipore Corporation ）である。親水性表面は、陰極接点リングの表面上への電解液のビード形成を著しく減少させて、陰極接点リングを電気めっき槽又は電解液から取り出した後、陰極接点リングからの電解液の滑らかな滴下を促進する。電解液を流出させやすくする親水性表面を陰極接点リングに設けることにより、陰極接点リング上の残留電解液により生じるめっき欠陥が著しく減少する。本発明者は、陰極接点リング上への残留電解液によるビード形成及びその結果生じる場合のある後で処理される基板上へのめっき欠陥を減少させるために陰極接点リングの他の実施形態にこの親水性処理又は被膜を利用することも計画している。本発明の電気めっき処理セルでは、他の設計の接点リング、例えば、１９９８年１１月３０日に出願された譲受人が同一の同時係属米国特許出願第０９／２０１，４８６号（発明の名称：Cathode Contact Ring For Electrochemical Deposition ）に記載された設計の接点リングが有用であり、かかる米国特許出願の開示内容全体を本明細書の一部を形成するものとしてここに引用する。
【００７６】
図１２及び図１２Ａを参照すると、ウェーハホルダ４６４は好ましくは、陰極接点リング４６６の上に配置され、このウェーハホルダは、ウェーハの裏側に圧力を及ぼし、ウェーハめっき面と陰極接点リング４６６を互いに電気的に接触させるブラダ（袋）組立体４７０を有している。膨まし可能なブラダ組立体４７０は、ウェーハホルダプレート８３２上に設けられている。かくして、ウェーハホルダプレート８３２の下面上に設けられたブラダ８３６は、陰極接点リング４６６とこれとの間に介在した基板８２１との接点に隣接してこの反対側に設けられている。流体源８３８が、流体、即ちガス又は液体をブラダ８３６に供給してブラダ８３６を様々な度合に膨らますことができる。
【００７７】
次に図１２、図１２Ａ及び図１３を参照してブラダ組立体４７０の詳細を説明する。ウェーハホルダプレート８３２は、実質的にディスクの形をした状態で示されており、下面に形成された環状凹部８４０及び中央に設けられた真空ポート８４１を有している。１又は２以上の入口８４２が、ウェーハホルダプレート８３２に形成され、比較的拡大された環状取付けチャネル８４３及び環状凹部８４０に通じている。急速脱着式ホース８４４が、流体源８３８を入口８４２に結合してこれに流体をもたらすようになっている。真空ポート８４１は好ましくは、選択的に基板８２１の裏面に圧力を供給し又は真空を生じさせるようになった真空／加圧圧送装置８５９に取り付けられている。図１２に示す圧送装置８５９は、ポンプ８５８、クロスオーバ弁８４７及び真空エゼクタ８４９（ベンチュリ管と通称されている）を有している。本発明で有利に使用できる真空エゼクタの一つは、インディアナ州インディアナポリス所在のエスエムシー・ニューマチックス・インコーポレーテッド（SMC Pneumatics, Inc.）から入手できる。ポンプ８４５は、市販の圧縮ガス源であるのがよく、ホース８５２の一端に結合され、ホース８５１の他端は、真空ポート８４１に結合されている。ホース８５１は、加圧ライン８５３と真空ライン８５５に分流関係で接続され、真空ライン８５５には真空エゼクタ８４９が設けられている。流体の流量はクロスオーバ弁８４７によって制御され、このクロスオーバ弁８４７は、加圧ライン８５３と真空ライン８５５にポンプ８４５の連通状態を選択的に切り換える。好ましくは、クロスオーバ弁は、流体がホース８５１を通っていずれの方向にも流れないようにするＯＦＦ設定位置を有している。遮断弁８６１がホース８５１に設けられており、この遮断弁は、流体が真空エゼクタ８４９を通って加圧ライン８５５から上流側に流れるのを阻止する。流体の所望の流れ方向は矢印で示されている。
【００７８】
当業者であれば、本発明の精神及び範囲から逸脱しない他の構成例を容易に想到できよう。例えば、流体源８３８がガス供給源である場合、これをホース８５１に結合し、それにより、別個の圧縮ガス供給源、即ちポンプ８５８を不要にしてもよい。さらに、別個のガス供給及び真空ポンプが、背圧及び真空条件を提供することができる。背圧と裏側に加えられる真空の両方に対応することが望ましい場合、単純化された実施形態は、裏面への真空だけを供給できるポンプを有するのがよい。しかしながら、以下に説明するように、処理中に裏側への圧力を生じさせた場合、めっきの一様性が向上する。したがって、真空エゼクタ及びクロスオーバ弁を含む上述の構成が好ましい。
【００７９】
次に、図１２Ａ及び図１４を参照すると、実質的に円形リングの形をしたマニホルド８４６が環状凹部８４０内に設けられている。マニホルド８４６は、内側肩８４８と外側肩８５０との間に設けられた取付けレール８５２を有している。取付けレール８５２は、環状取付けチャネル８４３内へ少なくとも部分的に挿入されるようになっている。マニホルド８４６に形成された複数の流体出口８５４が、入口８４２とブラダ８３６を互いに連通させる。シール８３７、例えばＯリングが、入口８４２及び出口８５４と整列した状態で環状マニホルドチャネル８４３内に設けられていて、機密シールが得られるようウェーハホルダプレート８３２によって固定されている。従来型締結具（図示せず）、例えばねじを用いて、マニホルド８４６及びウェーハホルダプレート８３２にこれと協働関係をなすように形成されたねじ穴（図示せず）を介してマニホルド８４６をウェーハホルダプレート８３２に固定するのがよい。
【００８０】
次に、図１５を参照すると、ブラダ８３６は、各エッジのところに環状リップシール８５６又は突起を備えた細長い実質的に半管状の材料片として断面で示されている。図１２Ａでは、リップシール８５６は、内側肩８４８及び外側肩８５０に設けられた状態で示されている。ブラダ８３６の一部は、マニホルド８３６によって環状凹部８４０の壁に押し付けられ、このマニホルドは、環状凹部８４０よりも幅が僅かに（例えば、数mm）小さい。かくして、マニホルド８４６とブラダ８３６と環状凹部８４０は互いに協働して、流体密シールを形成する。流体の損失を防止するため、ブラダ８３６は好ましくは、電解液に対して化学的に不活性であり、高信頼度の弾性を示す或る流体不浸透性材料、例えばシリコンゴム又はこれと同等な任意のエラストマで作られる。必要があれば、柔軟性のある被覆材８５７を図１５に示すようにブラダ８３６上に被せ、接着剤又は熱による接着法を用いて固定するのがよい。被覆材８５７は好ましくは、エラストマ、例えばヴィトン（Viton ：登録商標）、ブナゴム（buna rubber 登録商標）等から成り、これらを例えばケブラー（Kevlar：登録商標）によって補強するのがよい。一実施形態では、被覆材８５７とブラダ８３６は、同一材料からなる。被覆材８５７は、ブラダ８３６が破裂しがちな場合、特に利用される。変形例として、ブラダ８３６の厚さをその製造中、増大させるだけでも破裂の恐れが低くなる。好ましくは、ブラダ８３６の露出面（被覆されていない場合）及び被覆材８５７の露出面は、ヘッド組立体を処理セルの上方に持ち上げた後、残留電解液の滴下及び除去を促進する親水性表面（陰極接点リングの表面について上述した）を備えるよう被覆され又は処理される。
【００８１】
入口８４２及び出口８５４の正確な数は、本発明の範囲から逸脱することなく特定の用途に応じて変えることができる。例えば、図１２は、２つの入口及びこれに対応した出口を示しているが、変形実施形態は、流体をブラダ８３６に供給する単一の流体入口を採用してもよい。
【００８２】
動作原理を説明すると、基板８２１をこれをウェーハホルダプレート８３２の下側側部に固定することにより容器本体８０２内へ導入する。これを達成するには、圧送装置１５９を連携させて基板８２１とウェーハホルダプレート８３２との間の空間をポート８４１を介して排気し、それにより、真空条件を生じさせる。次に、流体源８３８から流体、例えば空気又は水を入口８４２に供給することにより、ブラダ８３６を膨らます。マニホルド出口８５４を介して流体をブラダ８３６内へ送り込み、それにより、基板８２１を陰極接点リング４６６のコンタクトに一様に押し付ける。次に、電気めっき法を実施する。次に、電解液を基板８２２に向けて処理キット４２０内へ圧送し、露出した基板めっき面８２０に当てる。電源は、陰極接点リング４６６を介して負のバイアスを基板めっき面８２０にかける。電解液を基板めっき面８２０全体にわたり流しているとき、電解溶液中のイオンが表面８２０に引き付けられて表面８２０上に付着し、それにより所望のフィルムが形成される。
【００８３】
ブラダ８３６は、可撓性があるので、基板の裏側及び陰極接点リング４６６のコンタクトの凹凸に順応するよう変形し、それにより、導電性陰極接点リング４６６との整列不良状態があってもかまわないようにする。柔軟性のあるブラダ８３６は、基板８２１の裏側の周囲部分のところに流体密シールを形成することにより、電解液が基板８２１の裏面を汚染しないようにする。いったん膨らませると、一様な圧力を陰極接点リング４６６に向かって下方に送って基板８２１と陰極接点リング４６６が境界を接するあらゆる箇所のところに実質的に等しい力を生じさせるようにする。力を流体源８３８によって加えられる圧力の関数として変化させることができる。さらに、ブラダ組立体４７０の有効性は、陰極接点リング４６６の形状で左右されることはない。例えば、図１２は、複数の別々の接点を備えたピン構造を示しているが、陰極接点リング４６６は連続した表面であってもよい。
【００８４】
ブラダ８３６によって基板８２１に伝えられた力は可変的であるので、接触環４６６によって供給される流れに対して、調整がなされうる。上述のとおり、オキシド層は、カソード接触環４６６の上に形成され、および流れを制限するように振舞ってもよい。しかしながら、ブラダ８３６の圧力を増加させることは、酸化によって流れの制限に、反対に作用するかもしれない。圧力が増加すると、可鍛性のオキシド層が傷つけられ、カソード接触環４６６と基板８２１との間に上質の接触が生じる。この性能におけるブラダ８３６の有効性は、カソード接触環４６６の形状を変えることによって、さらに向上するかもしれない。例えば、ナイフ・エッジ（knife-edge）形状は、切れ味が悪い丸いエッジや、平坦なエッジよりも、簡単にオキシド層を貫通するであろう。
【００８５】
さらに、膨張したブラダ８３６によって供給される流体タイト・シール（fluid tight seal）によって、ポンプ８４５は、処理の前、処理中、および処理後に、選択的にまたは継続的に、裏面真空または圧力を維持することができる。しかしながら、一般的に、ブラダ８３６は、継続的なポンピングをすることなく、処理中に、裏面真空状態を維持することができることがわかっているので、ポンプ８４５は、電気めっき処理セル４００へ、およびそこからの基板の移動中のみ、真空を維持するようにランする。このように、上述の通り、ブラダ８３６を膨張させる間に、裏面真空状態は、例えば、交差バルブ８４７においてオフ位置を選択することによって、ポンピング・システム８５９を離すことによって、同時に解放される。ポンピング・システム８５９を離すことは、突然であるかもしれず、真空状態が勾配を成す、漸次的処理を含むかもしれない。勾配によって、膨張ブラダ８３６と、同時に低下した裏面真空状態との間に、制御された交換が可能になる。この交換は、手動またはコンピュータによって制御されてもよい。
【００８６】
上述のとおり、ブラダ８３６が膨張している間の、継続的な裏面真空ポンピングは必要ではなく、実際に、基板８２０を歪めたり、曲げたりさせて、好ましくない堆積結果を導くかもしれない。しかしながら、基板の「バウイング（bowing）」効果が処理されるようにするために、裏面圧を基板８２０に与えることが望ましいかもしれない。本発明の発明者は、バウイング効果が、上質な堆積を生むことを発見した。ポンピング・システム８５９は、選択的に、真空または圧力状態を、基板裏面に与えることができる。２００ミリメートルのウェーハに対して、５ｐｓｉまでの裏面圧は、基板を曲げるのに好ましい。基板は、典型的にはある程度の柔軟性を示すので、裏面圧によって、前記基板は曲がり、または電解液の上方への流れに対して、窪んだ形状を呈する。曲がりの程度は、ポンピング・システム８５９によって供給される圧力に従って、可変的である。
【００８７】
当業者は、本発明が意図する他の実施形態を、容易に理解するであろう。例えば、図１２Ａは、カソード接触環４６６に実質的に等しい直径で、基板裏面の比較的小さい周囲部分を覆うのに十分な表面領域を有する好ましいブラダ８３６を示す一方で、ブラダ・アセンブリ４７０は、形状的に変化してもよい。このように、ブラダ・アセンブリは、基板８２１の増加した表面領域を覆うために、流体をより浸透させない素材を使用して構成されてもよい。
【００８８】
図１９は、ウェーハ・ホルダ・アセンブリ（wafer holder assembly）の代替的実施形態の部分的横断面図である。代替的なウェーハ・ホルダ・アセンブリ１９００は、上述のとおり、中間ウェーハ・ホルダ・プレート１９１０の後面に取り付けられた、膨張可能ブラダ８３６を有するブラダ・アセンブリ４７０を具備する。好ましくは、膨張可能ブラダ８３６の一部は、粘着性または他の接合物質を使用して、中間ウェーハ・ホルダ・プレート１９１０の後面１９１２に密着して取り付けられる。中間ウェーハ・ホルダ・プレート１９１０の前面１９１４は、処理されるべきウェーハまたは基板８２１を受けるように適応しており、エラストマ・オーリング（elastomeric o-ring）１９１６は、ウェーハ後面の周辺部分に接触するように、中間ウェーハ・ホルダ・プレート１９１０の前面１９１４上の、環状溝１９１８に配置される。エラストマ・オーリング１９１６は、中間ウェーハ・ホルダ・プレートのウェーハ後面と前面との間にシールを供給する。好ましくは、中間ウェーハ・ホルダ・プレートは、前記ウェーハの後面に加えられる真空力（vacuum force）を使用して、前記ウェーハ・ホルダ上にウェーハを固定するのを容易にするために、真空ポート８４１と流体接触（fluid communication）している、プレートを通して伸びている複数の穴１９２０を含む。ウェーハ・ホルダ・アセンブリの、この代替的な実施形態に従って、膨張可能ブラダは、処理されているウェーハに直接接触せず、ウェーハ移動中に膨張可能ブラダを切り、または損害を与えるリスクは、顕著に低減される。エラストマ・オーリング１９１６は、好ましくは、ウェーハに接触するための親水性の表面（カソード接触環に関して上述されたとおり）を供給するようにコートされまたは処理されており、エラストマ・オーリング１９１６は、前記ウェーハへの適切な接触およびシールを確実にするために必要とされれば、取り替えられる。他のブラダ・システムは、本発明に従って、例えば共通して譲渡され、係属中のアメリカ合衆国特許出願第０９／２０１，７９６号、「膨張コンプライアント・ブラダ・アセンブリ（Inflatable Compliant Bladder Assembly）」、１９９８年１１月３０日提出、に記述されたブラダ・システム等、本発明に従った電気めっき処理セルにおいて有用であり、前記発明は、参照のために、そのすべてがここに採用されている。
【００８９】
図２５は、回転ヘッド・アセンブリ（rotatable head assembly）２４１０を有する処理ヘッド・アセンブリの代替的実施形態である。好ましくは、回転アクチュエータは、カンチレバード・アーム（cantilevered arm）に配置され、およびウェーハ処理中に、前記ヘッド・アセンブリを回転させるために、前記ヘッド・アセンブリに取り付けられている。回転ヘッド・アセンブリ２４１０は、ヘッド・アセンブリ・フレーム２４５２に搭載されている。代替的ヘッド・アセンブリ・フレーム２４５２および回転ヘッド・アセンブリ２４１０は、図６および上述のとおり、ヘッド・アセンブリ・フレーム４５２およびヘッド・アセンブリ４１０に類似したメインフレームに搭載されている。ヘッド・アセンブリ・フレーム２４５２は、搭載ポスト２４５４、ポスト・カバー２４５５、およびカンチレバー・アーム２４５６を含む。搭載ポスト２４５４は、メインフレーム２１４の本体に搭載され、ポスト・カバー２４５５は搭載ポスト２４５４の上部を覆っている。好ましくは、搭載ポスト４５４は、ヘッド・アセンブリ・フレーム２４５２の回転を可能にするために、搭載ポストに沿った縦軸に関して、回転する動き（矢印Ａ１で記載）を供給する。カンチレバー・アーム２４５６は、搭載ポスト２４５４の上部から横に伸びており、旋回ジョイント（pivot joint）２４５９において、ポスト・カバー２４５５に、旋回するように接続されている。回転ヘッド・アセンブリ２４１０は、カンチレバー・アーム２４５６の遠位端部に配置された搭載スライド（mounting slide）２４６０に取り付けられている。搭載スライド２４６０は、ヘッド・アセンブリ２４１０の縦の動きを導く。ヘッド・リフト・アクチュエータ２４５８は、ヘッド・アセンブリ２４１０の縦の移動を供給するために、搭載スライド２４６０の頭部に配置される。
【００９０】
カンチレバー・アーム２４５６の低位端部は、例えば搭載ポスト２４５４に搭載された、空気シリンダまたは親ねじアクチュエータ等、カンチレバー・アーム・アクチュエータ２４５７のシャフト２４５３に接続される。カンチレバー・アーム・アクチュエータ２４５７は、カンチレバー・アーム２４５６とポスト・カバー２４５４との間のジョイント２４５９に関して、カンチレバー・アーム２４５６の旋回する動き（矢印Ａ２で記載）を供給する。カンチレバー・アーム・アクチュエータ２４５７が引き込まれると、カンチレバー・アーム２４５６は、電気めっき処理セル２４０から処理キット４２０を除去しおよび／または取りかえるために必要とされる空間を供給するために、処理キット４２０からヘッド・アセンブリ２４１０を離す。カンチレバー・アーム・アクチュエータ２４５７が伸びると、カンチレバー・アーム２４５６は、ヘッド・アセンブリ２４１０におけるウェーハを処理位置に配置するために、ヘッド・アセンブリ２４１０を処理キット４２０へと動かす。
【００９１】
回転ヘッド・アセンブリ２４１０は、搭載スライド２４６０に、スライドするように接続された回転アクチュエータ２４６４を含む。ヘッド・リフト・アクチュエータ２４５８のシャフト２４６８は、回転アクチュエータ２４６４の本体に取り付けられたリフト・ガイド２４６６を通して挿入される。好ましくは、シャフト２４６８は、様々な縦の位置の間でリフト・ガイドを動かす（矢印Ａ３で記載）親ネジ・タイプのシャフトである。回転アクチュエータ２４６４は、シャフト２４７０を通してウェーハ・ホルダ・アセンブリ２４５０に接続され、およびウェーハ・ホルダ・アセンブリ２４５０を回転させる（矢印Ａ４で記載）。ウェーハ・ホルダ・アセンブリ２４５０は、図１２乃至１５ならびに１９に関して上述された実施形態等のブラダ・アセンブリ、および図７乃至１０ならびに１８に関して上述された実施形態等のカソード接触環を含む。
【００９２】
電気めっき処理中のウェーハの回転は、通常堆積結果を促進させる。好ましくは、ヘッド・アセンブリは、電気めっき処理中、約２ｒｐｍから約２０ｒｐｍの間で回転する。ヘッド・アセンブリは、処理セルにおいて電解液からウェーハを除去するために持ち上げられる時と同様に、処理中に電解液に接触するように、ウェーハを配置するために下げられるときも、回転しうる。ヘッド・アセンブリは、好ましくはヘッド・アセンブリにおける残余電解液の除去を促進するために、処理セルからヘッド・アセンブリが持ち上げられた後、高速で回転する（すなわち、＞２０ｒｐｍ）。
【００９３】
一つの実施形態において、標準電気めっき処理は、通常最善で約５．５％以内の均一性を達成する一方で、本発明者は、堆積したフィルムの均一性を、約２％以内に向上させた（すなわち、堆積したフィルムの厚みの最大偏差は、平均のフィルムの厚みの約２％である）。しかしながら、ある例において、特に、電気めっき堆積の均一性が、電解液の化学的作用、電解液の流れおよび他のパラメータ等、処理パラメータを調節することによって達成される場合、均一した電気めっき堆積を達成するためには、ヘッド・アセンブリの回転は必要ではない。
【００９４】
図６に戻って参照してみると、電気めっき処理セル４００の横断面図であり、ウェーハ・ホルダ・アセンブリ４５０は処理キット４２０の上に配置されている。処理キット４２０は通常、ボウル（bowl）４３０、コンテナ本体４７２、アノード・アセンブリ（anode assembly）４７４およびフィルタ４７６を具備する。好ましくは、アノード・アセンブリ４７４は、コンテナ本体４７２の下に配置され、コンテナ本体４７２の低位部分に取り付けられ、およびフィルタ４７６は、アノード・アセンブリ４７４とコンテナ本体４７２との間に配置される。コンテナ本体４７２は、セラミック、プラスチック、プレキシガラス（アクリル性）、レキセイン（lexane）、ＰＶＣ、ＣＰＶＣ、およびＰＶＤＦ等、電気的絶縁物質でできた円筒形本体である。代替的に、コンテナ本体４７２は、ステンレス・スチール、ニッケル、およびチタン等の金属で作ることができ、それはテフロン登録商標、ＰＶＤＦ、プラスチック、ゴム、および電解液で溶解せず、電気的に電極（すなわち、電気めっきシステムのアノードおよびカソード）から絶縁されうる物質の他の組み合わせで覆われている。コンテナ本体４７２は、好ましくは、ウェーハめっき表面および前記システムを通して処理されるウェーハの形状、通常は円形または長方形の形状に適合するような大きさであり、およびそのように適応している。コンテナ本体４７２の一つの好ましい実施形態は、ウェーハの直径とおよそ同じ大きさまたはやや大きい内径を有する、円筒形セラミック管を具備する。本発明者は、通常の電気めっきシステムで求められる回転動作は、コンテナ本体のサイズが、ウェーハめっき表面の大きさにおよそ適合する時は、均一なめっき結果を達成するためには、必要とされないことを発見した。
【００９５】
コンテナ本体４７２の上部は、環状堰４７８を形成するように、放射状に外側に向かって伸びる。堰４７８は、電解液コレクタ４４０の内壁４４６の上へ伸び、電解液が電解液コレクタ４４０へと流れ込むようにする。堰４７８の上位表面は、好ましくは、カソード接触環４６６の低位表面に適合する。好ましくは、堰４７８の上位表面は、内側環状平坦部分４８０、中間傾斜部分４８２、および外側下方傾斜部分４８４を含む。ウェーハが処理位置に配置されると、ウェーハめっき表面は、コンテナ本体４７２の円筒形開口部の上に配置され、電解液の流れのための間隙が、カソード接触環４６６の低位表面と、堰４７８の上位表面との間に形成される。カソード接触環４６６の低位表面は、堰４７８の内側平坦部分４８０および中間傾斜部分の上に配置される。外側下方傾斜部分４８４は、容易に電解液が電解液コレクタ４４０へと流れ込むようにするために、下方に傾斜している。
【００９６】
コンテナ本体４７２の低位部分は、コンテナ本体４７２をボウル４３０に固定するための、低位環状フランジ（lower annular flange）を形成するように、放射状に外側に向かって伸びる。環状フランジ４８６の外側の大きさ（すなわち、周囲）は、処理キット４２０の、電気めっき処理セル４００からの除去および取り替えを可能にするために、電解液コレクタ４４０の開口部４４４および内周の大きさよりも小さい。好ましくは複数のボルトが、環状フランジ４８６に固定されており、ボウル４３０にある適合するボルト穴を通して下方に伸びる。複数の取り外し可能ファスナ・ナット４９０は、処理キット４２０をボウル４３０に固定する。エラストマ・オーリング等のシール４８７は、処理キット４２０からのリークを防ぐために、ボルト４８８から内側へと放射状に、コンテナ本体４７２とボウル４３０との間に配置される。ナット／ボルトの組み合わせによって、メンテナンス中の処理キット４２０の構成要素の、迅速かつ容易な除去および取り替えが促進される。
【００９７】
好ましくは、フィルタ４７６は、コンテナ本体４７２の低位開口部に取り付けられ、およびそれを完全に覆い、およびアノード・アセンブリ４７４は、フィルタ４７６の下に配置される。スペーサ（spacer）４９２は、フィルタ４７６とアノード・アセンブリ４７４との間に配置される。好ましくは、フィルタ４７６、スペーサ４９２、およびアノード・アセンブリ４７４は、ネジおよび／またはボルト等、取り外し可能ファスナを使用して、コンテナ本体４７２の低位表面に取り付けられる。代替的に、フィルタ４７６、スペーサ４９２、およびアノード・アセンブリ４７４は、取り外すことができるように、ボウル４３０に固定される。フィルタ４７６は、好ましくは、基板めっき表面への、電解液の流れのパターンを制御するようにも機能する、セラミック・ディフューザ（ceramic diffuser）を具備する。
【００９８】
アノード・アセンブリ４７４は、好ましくは、電解液において金属ソース（metal source）として機能する消耗アノードを具備する。代替的には、アノード・アセンブリ４７４は非消耗アノードを具備し、および電気めっきされるべき金属は、電解液補充システム２２０から、電解液内に供給される。図６に記載のとおり、アノード・アセンブリ４７４は、好ましくは銅等、電気めっきされるべき金属と同じ金属で作られている多孔質アノード・エンクロージャ（porous anode enclosure）４９４を有する自己内包モジュールである。代替的に、アノード・エンクロージャ４９４は、セラミックまたは重合膜（polymeric membranes）等、多孔質物質で作られている。銅の電気化学的堆積のための高純度の銅等、可溶性金属４９６が、アノード・エンクロージャ４９４の中に配置される。可溶性金属４９６は、好ましくは金属粒子、ワイヤまたは穿孔シート（perforated sheet）を具備する。多孔質アノード・エンクロージャ４９４はまた、アノード・エンクロージャ４９４内の溶解金属によって生成される粒子を保持するフィルタとしても機能する。非消耗アノードと比較して、消耗（すなわち、可溶性）アノードは、ガスを生成しない電解液を供給し、および電解液において、金属を継続的に補充する必要性を最小限にする。
【００９９】
アノード電極接触子４９８は、電源から可溶性金属４９６への電気的接続を供給するために、アノード・エンクロージャ４９４を通して挿入される。好ましくは、アノード電極接触子４９８は、チタン、プラチナ、およびプラチナめっきされたステンレス・スチール等、電解液において不可溶性である伝導性物質から作られる。アノード電極接触子４９８は、ボウル４３０を通って伸びており、電源に接続されている。好ましくは、アノード電気接触子４９８は、アノード電気接触子４９８をボウル４３０に固定するために、ファスナ・ナット４９９のためのスレッデド部分（threaded portion）４９７を含み、エラストマ・ウォッシャ（elastomer washer）等、シール４９５は、処理キット４２０からのリークを防ぐために、ファスナ・ナット４９９とボウル４３０との間に配置される。
【０１００】
ボウル４３０は通常、円筒形部分５０２および底部５０４を具備する。上部環状フランジ５０６は、円筒形部分５０２の上部から、放射状に外側に向かって伸びる。上部環状フランジ５０６は、コンテナ本体４７２の低部環状フランジ４８６からのボルト４８８の数に適合する複数の穴５０８を含む。ボウル４３０の上部環状フランジ５０６およびコンテナ本体４７２の低部環状フランジ４８６を固定するために、ボルト４８８は、穴５０８を通して挿入され、およびファスナ・ナット４９０は、ボルト４８８へと固定される。好ましくは、上部環状フランジ５０６の外側の大きさ（すなわち、円周）は、低部環状フランジ４８６の外側の大きさ（すなわち、円周）とほぼ同じである。好ましくは、ボウル４３０の上部環状フランジ５０６の低位表面は、処理キット４２０がメインフレーム２１４に配置されている時は、メインフレーム２１４の支持フランジに載っている。
【０１０１】
円筒形部分５０２の内周は、アノード・アセンブリ４７４およびフィルタ４７６を収容する。好ましくは、電解液の相当な部分を、フィルタ４７６を通って流れる前に、最初にアノード・アセンブリ４７４を通して強制的に流すために、フィルタ４７６およびアノード・アセンブリ４７４の外側の大きさは、円筒形部分５０２の内側の大きさよりもやや小さい。ボウル４３０の底部５０４は、電解液補充システム２２０からの電解液供給線に接続している電解液流入口５１０を含む。好ましくは、アノード・アセンブリ４７４は、底部５０４において、アノード・アセンブリと電解液流入口５１０との間に、電解液の流れのための間隙を供給するために、ボウル４３０の円筒形部分５０２の中間部分の辺りに配置される。
【０１０２】
電解液流入口５１０および電解液供給線は、好ましくは、処理キット４２０の簡単な除去および取り替えを促進する、解放可能コネクタによって接続される。処理キット４２０がメンテナンスを必要とする時、電解液は、処理キット４２０から排出され、および電解液供給線における電解液の流れは、停止され、排出される。電解液供給線のためのコネクタは、電解液流入口５１０から解放され、アノード・アセンブリ４７４への電気的接続も切断される。ヘッド・アセンブリ４１０は、処理キット４２０の一掃除去を供給するために、持ち上げられまたは回転させられる。処理キット４２０は、メインフレーム２１４から取り除かれ、新しいまたは再調整された処理キットが、メインフレーム２１４へと取り替えられる。
【０１０３】
代替的に、ボウル４３０は、メインフレーム２１４の支持フランジへと固定されることができ、およびコンテナ本体４７２は、アノードおよびフィルタとともに、メンテナンスのために除去される。この場合、アノード・アセンブリ４７４およびコンテナ本体４７２をボウル４３０に固定しているナットは、アノード・アセンブリ４７４およびコンテナ本体４７２の除去を容易にするために取り除かれる。新しい、または再調整されたアノード・アセンブリ４７４およびコンテナ本体４７２は、メインフレーム２１４へと取りかえられ、およびボウル４３０に固定される。
【０１０４】
図２０は、封入アノード（encapsulated anode）の第一の実施形態の横断面図である。封入アノード２０００は、金属がアノード・プレート２００４から溶解するときに生成される「アノード・スラッジ（anode sludge）」または粒子をフィルタにかけ、または捕える、透過性アノード・エンクロージャを含む。図２０に記載のとおり、消耗アノード・プレート２００４は、固体の銅、好ましくは、親水性アノード封入メンブレン２００２に包まれた高純度の、無酸素銅を含む。アノード・プレート２００４は、ボウル４３０の底部を通って伸びる複数の電気接触子またはフィードスルー２００６によって固定されおよび支持されている。電気接触子またはフィードスルー２００６は、アノード封入メンブレン２００２を通って、アノード・プレート２００４の底面へと伸びる。電解液の流れは、矢印Ａによって、ボウル４３０の底部に配置された電解液流入口５１０から、アノードとボウル側壁との間の間隙を通るように、示されている。電解液はまた、矢印Ｂで示されたとおり、アノード封入メンブレンとアノード・プレートとの間の間隙へ、またはそこから出る透過によって、アノード封入メンブレン２００２を通っても流れる。好ましくは、アノード封入メンブレン２００２は、改質ポリビニリデン・フッ素メンブレン等、およそ６０％から８０％の間、より好ましくは約７０％の多孔度を有し、および孔の大きさは、およそ０．０２５μｍおよび約１μｍの間、より好ましくは約０．１μｍから約０．２μｍの間である、親水性多孔質メンブレンを具備する。親水性多孔質メンブレンの一例は、マサチューセッツ州、ベッドフォードにある
Ｍｉｌｌｉｐｏｒｅ  Ｃｏｒｐｏｒａｔｉｏｎから入手可能である、デュラポア・ハイドロフィリック・メンブレン（Durapore Hydrophilic Membrane）である。電解液が封入メンブレンを通って流れると、溶解アノードによって生成されるアノード・スラッジおよび粒子は、封入メンブレンによってフィルタにかけられ、または捕えられる。このように、封入メンブレンは、電気めっき処理中の電解液の純度を向上させ、およびアノード・スラッジおよび汚染粒子によって生じる、電気めっき処理中の基板上の欠陥形成（defect formation ）が、顕著に低減される。
【０１０５】
図２１は、封入アノードの第二の実施形態の横断面図である。封入アノードの第一の実施形態と類似して、アノード・プレート２００４は、電気フィードスルー２００６に固定されおよび支持されている。それぞれアノード・プレート２００４の上および下に配置された、上部封入メンブレン２００８および底部封入メンブレン２０１０は、アノード・プレート２００４周辺に配置されたメンブレン支持環２０１２に取り付けられる。上部および底部封入メンブレン２００８、２０１０は、封入されたアノードの第一の実施形態の封入メンブレンのための、上記リストからの物質を具備する。メンブレン支持環２０１２は、好ましくは、プラスチックまたは他の重合体等、（封入メンブレンと比較して）相対的に硬い物質を含む。バイパス流体流入口２０１４は、電解液を、封入メンブレンとアノード・プレートとの間の間隙に導くために、ボウル４３０の底部を通って、および底部封入メンブレン２０１０を通って配置される。バイパス流出口２０１６は、メンブレン支持環２０１２へと接続され、および封入されたアノードから出たアノード・スラッジまたは生成された粒子を伴った、過剰な電解液の、排出ドレイン（図示されていない）への流れを容易にするために、ボウル４３０を通って伸びる。
【０１０６】
好ましくは、バイパス流体流入口２０１４および主電解液流入口５１０の中の電解液の流れは、それぞれ流入口に接続された流体ラインに沿って配置された、フロー制御バルブ２０２０、２０２２によって個別に制御され、およびバイパス流体流入口２０１４における流体圧は、好ましくは、主電解液流入口５１０における圧力よりも高圧に維持される。主電解液流入口５１０からの、ボウル４３０内での電解液の流れは、矢印Ａによって示され、封入アノード２０００の内側の電解液の流れは、矢印Ｂによって示される。封入アノードへと導かれる電解液の一部は、封入アノードから出て、バイパス流出口２０１６を通って流れる。封入アノードへの専用バイパス電解液供給を供給することによって、溶解消耗アノードから生成されるアノード・スラッジまたは粒子は、継続的にアノードから除去され、それによって電気めっき処理中の電解液の純度は向上する。
【０１０７】
図２２は、封入アノードの第三の実施形態の横断面図である。封入アノード２０００の第三の実施形態は、複数の電気フィード・スルー２００６に固定されおよび支持されたアノード・プレート２００４と、メンブレン支持環２０１２に取り付けられた上部ならびに底部封入メンブレン２００８、２０１０と、およびメンブレン支持環２０１２に接続され、ボウル４３０を通って伸びるバイパス流出口２０１６とを含む。この、封入アノードの第三の実施形態は、好ましくは、封入アノードの第一および第二の実施形態に関して上述された物質を含む。第三の実施形態に従った底部封入メンブレン２０１０は、主電解液流入口５１０の上に実質的に配置された一つ以上の開口部２０２４を含む。開口部２０２４は、主電解液流入口５１０からの電解液の流れを受けるように適応しており、好ましくは主電解液流入口５１０の内周とおよそ同じ大きさである。主電解液流入口５１０からの電解液の流れは、矢印Ａによって示され、封入アノード内の電解液の流れは、矢印Ｂによって示される。電解液の一部は、封入アノードから出て、バイパス流出口２０１６を通って流れ、アノード溶解から生成されるノード・スラッジおよび粒子の一部を運搬する。
【０１０８】
図２３は、封入アノードの第四の実施形態の横断面図である。封入アノード２０００の第四の実施形態は、複数の電気フィードスルー２００６に固定されおよび支持されたアノード・プレート２００２と、メンブレン支持環２０１２に取り付けられた上部ならびに底部封入メンブレン２００８、２０１０と、および封入メンブレンとアノード・プレートとの間の間隙に電解液を導くために、ボウル４３０の底部を通って、ならびに底部封入メンブレン２０１０を通って配置された、バイパス流体流入口２０１４とを含む。この、封入アノードの第四の実施形態は、好ましくは、封入アノードの第一ならびに第二の実施形態に関して上述された物質を含む。好ましくは、バイパス流体流入口２０１４および主電解液流入口５１０を通る電解液の流れは、それぞれ制御バルブ２０２０、２０２２によって個別に制御される。主電解液流入口５１０からの電解液の流れは、矢印Ａによって示される一方で、封入アノードを通る電解液の流れは、矢印Ｂによって示される。この実施形態に関して、溶解アノード・プレートによって生成されるアノード・スラッジおよび粒子は、電解液がメンブレンを通過する時に、封入メンブレンによってフィルタにかけられ、および捕えられる。
【０１０９】
図１６は、電解液補充システム２２０の概要図である。電解液補充システム２２０は、電気めっき処理のために、電気めっき処理セルに電解液を供給する。電解液補充システム２２０は、通常、主電解液タンク６０２、ドージング・モジュール（dosing module）６０３、ろ過モジュール６０５、化学的アナライザ・モジュール６１６、および電解液廃液ドレイン６２０によって解析モジュール６１６に接続された、電解液廃液廃棄システム６２２を含む。一つ以上のコントローラが、主タンク６０２における電解液の合成および電解液補充システム２２０のオペレーションを制御する。好ましくは、前記コントローラは、個別に操作可能であるが、電気めっきシステム・プラットフォーム２００の制御システム２２２と統合されていてもよい。
【０１１０】
主電解液タンク６０２は、電解液のための貯蔵槽を供給し、および一つ以上の流体ポンプ６０８ならびにバルブ６０７を通って、電気めっき処理セルの各々に接続される、電解液供給ライン６１２を含む。主タンク６０２と熱的に接続するように配置された熱交換器６２４またはヒータ（heater）／チラー（chiller）は、主タンク６０２に貯蔵された電解液の温度を制御する。熱交換器６２４は、コントローラ６１０に接続され、およびそれによって操作される。
【０１１１】
ドージング・モジュール６０３は、供給ラインによって主タンク６０２に接続されており、複数のソース・タンク６０６、またはフィード・ボトル（feed bottle）、複数のバルブ６０９、およびコントローラ６１１を含む。ソース・タンク６０６は、電解液を合成するために必要な化学物質を含み、通常は、電解液を合成するための脱イオン水源タンクおよび硫酸銅（ＣｕＳＯ4）ソース・タンクを含む。他のソース・タンク６０６は、硫酸水素塩（Ｈ2ＳＯ4）、塩酸塩（ＨＣＬ）およびグリコール等の様々な添加物を含んでもよい。各ソース・タンクは、好ましくは色でコード化され、およびドージング・モジュールにおける適合流入コネクタに接続するように適応した、独自の接続流出コネクタを備える。ソース・タンクを色でコード化し、およびソース・タンクに独自のコネクタを備えることによって、ソース・タンクを交換し、または取りかえる時に、人間のオペレータによって生じる誤りが、顕著に低減される。
【０１１２】
脱イオン水源タンクは、好ましくは、脱イオン水を、メンテナンス中のシステムの清浄のためのシステムにも供給する。各ソース・タンク６０６と関連するバルブ６０９は、主タンク６０２への化学物質の流れを調整し、およびバタフライ・バルブ（butterfly valves）、スロットル・バルブ（throttle valves）等、数多くの商業上入手可能なバルブのいずれでもよい。バルブ６０９の作動は、好ましくはそこからの信号を受信するために、システム制御２２２に接続された、コントローラ６１１によって達成される。
【０１１３】
電解液ろ過モジュール６０５は、複数のフィルタ・タンク６０４を含む。電解液返送ライン６１４は、処理セルの各々と、一つ以上のフィルタ・タンク６０４との間に接続される。フィルタ・タンク６０４は、再利用のために、電解液を主タンク６０２に戻す前に、使用された電解液における望ましくない含有物を除去する。主タンク６０２は、主タンク６０２における電解液の再循環およびろ過を容易にするために、フィルタ・タンク６０４にも接続されている。主タンク６０２からフィルタ・タンク６０４を通して電解液を再循環させることによって、電解液内の望ましくない含有物は、一定のレベルの純度を維持するために、フィルタ・タンク６０４によって継続的に除去される。さらに、主タンク６０２とろ過モジュール６０５との間で電解液を再循環させることで、電解液内の様々な化学物質が、完全に混合される。
【０１１４】
電解液補充システム２２０は、電解液の化学的合成の、リアルタイムな化学的解析を供給する、化学的アナライザ・モジュール６１６も含む。アナライザ・モジュール６１６は、サンプル・ライン６１３によって主タンク６０２へと、および流出ライン６２１によって廃液廃棄システム６２２へと流体的に結合される。アナライザ・モジュール６１６は、通常、アナライザを操作するために、少なくとも一つのアナライザおよびコントローラを具備する。特定の処理ツールに必要となるアナライザの数は、電解液の合成による。例えば、第一のアナライザは、有機物質の濃度を監視するために使用されてもよい一方で、第二のアナライザは、無機化学物質に必要とされる。図１６に記載の特定の実施形態において、化学的アナライザ・モジュール６１６は、自動滴定アナライザ６１５およびサイクリック・ボルタメトリック・ストリッパ（cyclic voltametric stripper）（ＣＶＳ）６１７を具備する。どちらのアナライザも、様々な供給者から商業的に入手可能である。効果的に使用されてもよい自動滴定アナライザは、Ｐａｒｋｅｒ  Ｓｙｓｔｅｍｓから入手可能であり、サイクリック・ボルタメトリック・ストリッパは、ＥＣＩから入手可能である。自動適定アナライザ６１５は、塩化銅等の無機物質および酸の濃度を決定する。ＣＶＳ６１７は、電解液において使用されるかもしれない様々な添加物、および処理セルから主タンク６０２に戻される、処理から生じる副産物等、有機物質の濃度を決定する。
【０１１５】
図１６に記載のアナライザ・モジュールは、単なる例示である。他の実施形態において、各アナライザは、個別の供給ラインによって主電解液タンクに結合され、および個別のコントローラによって操作されてもよい。当業者は、他の実施形態を認識するであろう。
【０１１６】
操作において、電解液のサンプルが、サンプル・ライン６１３を介してアナライザ・モジュール６１６へと流れる。サンプルは周期的に取られてもよいが、好ましくは、アナライザ・モジュール６１６へ、電解液の継続的な流れが維持される。サンプルの一部は、自動滴定アナライザ６１５に運ばれ、および一部は、適切な解析のためにＣＶＳ６１７に運ばれる。コントローラ６１９は、データを生成するために、アナライザ６１５、６１７を操作するためのコマンド信号を開始する。化学的アナライザ６１５、６１７からの情報は、制御システム２２２に送られる。制御システム２２２は前記情報を処理し、およびユーザが定義する化学的適正量パラメータ（chemical dosage parameters）を含む信号を、ドージング・コントローラ６１１に送信する。受信された情報は、バルブ６０９のうち一つ以上を操作することによって、ソース化学物質補充速度へのリアルタイムな調整を供給するために使用され、それによって、電気めっき処理の間、電解液の所望の、好ましくは一定した化学的合成を維持する。アナライザ・モジュールからの廃液電解液は、流出ライン６２１を介して廃液廃棄システム６２２へと流れる。
【０１１７】
好ましい実施形態は、電解液のリアルタイムな監視および調整を利用するが、様々な代替例が本発明に従って採用されてもよい。たとえば、ドージング・モジュール６０３は、化学的アナライザ・モジュール６１６によって供給される出力値を見ているオペレータによって、手動で制御されてもよい。好ましくは、システム・ソフトウェアによって、オペレータ（手動）モードと同様に、自動リアルタイム調整モードの両方が可能になる。さらに、複数のコントローラが図１６に記載されているが、一つのコントローラが、化学的アナライザ・モジュール６１６、ドージング・モジュール６０３、および熱交換器６２４等、システムの様々な構成要素を操作するために使用されてもよい。他の実施形態は、当業者には明らかであろう。
【０１１８】
好ましくは、アナライザは、アナライザにおける電極またはセンサが、繰り返して使用されることによって腐食されると、コントローラが、計測におけるドリフト（drift）を補うことを容易にする標準および基準体系を含む。標準および基準体系は、好ましくは、アナライザによって解析されている物質に従って分類される。例えば、自動滴定アナライザ６１５は、無機物質のための標準および基準体系を含み、およびＣＶＳ６１７は、有機物質のための標準および基準体系を含む。例えば、表１に記載のとおり、三つの標準が、電解液における銅および塩化物含有の解析のために示される。
【０１１９】
表１：銅および塩化物含有に関する標準
0004766579.tif 000002
アナライザは、銅および塩化物含有に関するアナライザのための電極またはセンサが、繰返しの使用によって腐食されるにつれて、電極またはセンサの偏差または計測ドリフトを決定するために、前記標準を使用する。標準における既知の含有物と、アナライザによる計測との間に、線形関係（linear relationship）を補間することによって、アナライザは、電解液サンプルにおける物質の正確な解析を供給するために基準化される。電解液サンプルから計測されたデータは、正確な計測を供給するために、電極またはセンサの計測ドリフトに関して補われる。標準および基準体系を使用することによって、本発明は、電解液の、正確でリアルタイムな、オンライン解析を供給し、前記システムに取り付けられたアナライザによって実行されうる閉ループ解析を容易にする。本発明はまた、電極またはセンサの有効寿命を延長し、およびこれらの構成要素の取り替えによるシステムの遮断の頻度を下げる。
【０１２０】
電解液補充システム２２０はまた、使用された電解液、化学物質、および電気めっきシステムにおいて使用された他の流体の安全な廃棄のための、電解液廃液廃棄システム６２２へと接続された、電解液廃液ドレイン６２０も含む。好ましくは、電気めっきセルは、電解液補充システム２２０を通して電解液を戻すことなく、電気めっきセルを排出するために、電解液廃液ドレイン６２０または電解液廃液廃棄システム６２２への直接ライン接続を含む。電解液補充システム２２０は、好ましくは、過剰な電解液を、電解液廃液ドレイン６２０に抜き取るための、ブリード・オフ接続（bleed off connection）も含む。
【０１２１】
好ましくは、電解液補充システム２２０はまた、電解液から望ましくないガスを除去するように適応した、一つ以上のガス抜きモジュール６３０も含む。ガス抜きモジュールは、通常、解放されたガスを除去するためのガス抜きモジュールおよび真空システムを通過する流体から、ガスを分離するメンブレンを具備する。ガス抜きモジュール６３０は、好ましくは、処理セル２４０に隣接する電解液供給ライン６１２に一列で配置される。ガス抜きモジュール６３０は、好ましくは、電解液補充システムからのガスのほとんどが、電解液が処理セルに入る前に、ガス抜きモジュールによって除去されるように、処理セル２４０のできるだけ近くに配置される。好ましくは、各ガス抜きモジュール６３０は、ガス抜きされた電解液を、各処理ステーション２１８の二つの処理セル２４０に供給するための二つの流出口を含む。代替的に、ガス抜きモジュール６３０は、各処理セルのために供給される。ガス抜きモジュールは、多くの他の場所に配置されうる。例えば、ガス抜きモジュールは、電解液補充システムにおける他の場所に、例えばフィルタ・セクションとともに、または主タンクまたは処理セルを伴う閉ループ・システムに配置されうる。他の例として、一つのガス抜きモジュールは、ガス抜きされた電解液を、電気化学堆積システムの処理セル２４０のすべてに供給するために、電解液供給ライン６１２と、一列で配置される。さらに、個別のガス抜きモジュールは、直列に、または脱イオン水供給ラインを伴う閉ループに配置され、および脱イオン水源から酸素を除去することに専念する。脱イオン水は処理された基板を洗うために使用されるので、遊離酸素ガスは、好ましくは、電気めっきされた銅が、洗う処理によって酸化しにくいように、ＳＲＤモジュールに到達する前に、脱イオン水から除去される。ガス抜きモジュールは、当業界ではよく知られており、商業的実施形態が、様々な応用における使用に関して利用可能であり、適応している。商業的に入手可能なガス抜きモジュールは、マサチューセッツ州、ベッドフォードにある、Ｍｉｌｌｉｐｏｒｅ
Ｃｏｒｐｏｒａｔｉｏｎから入手可能である。
【０１２２】
図２６ａに記載のとおり、ガス抜きモジュール６３０の一つの実施形態は、メンブレン６３２の一方に流体（すなわち、電解液）通路６３４を、およびメンブレンの反対側に配置された真空システム６３６を有する、疎水性メンブレン６３２を含む。ガス抜きモジュールのエンクロージャ６３８は、流入口６４０および一つ以上の流出口６４２を含む。電解液が、ガス抜きモジュール６３０を通過すると、電解液におけるガスおよび他の微小バブル（micro-bubbles）が、疎水性メンブレンを通る電解液から分離され、および真空システムによって除去される。ガス抜きモジュール６３０’の他の実施形態は、図２６ｂに記載のとおり、疎水性メンブレンの管６３２’および疎水性メンブレンの管６３２’の周辺に配置された真空システム６３６を含む。電解液は、疎水性メンブレンの管の内側に導かれ、電解液が前記管における流体通路６３４を通過すると、電解液におけるガスおよび他の微小バブルが、疎水性メンブレンの管６３２’を通る電解液から分離され、および前記管を取り巻く真空システム６３６によって除去される。ガス抜きモジュールのより複雑な設計が本発明によって意図されており、それは、メンブレンを横切る電解液の蛇行したパス（paths）を有する設計、およびガス抜きモジュールの、他のマルチ・セクションな（multi-sectioned）設計を含む。
【０１２３】
図１６には記載されていないが、電解液補充システム２２０は、多くの他の構成要素を含んでもよい。例えば、電解液補充システム２２０は、好ましくは、ウェーハ清浄システム、例えばＳＲＤステーションに関する化学物質の貯蔵のための一つ以上の付加的タンクも含む。有害物質コネクション（hazardous material connection）のための二重包含されたパイピング（piping）も、前記システム全体における化学物質の安全な輸送を供給するために採用されてもよい。任意で、電解液補充システム２２０は、電気めっきシステムへの付加的な電解液供給を供給するために、付加的なまたは外部の電解液処理システムへの接続を含む。
【０１２４】
図１７は、本発明に従った、急速熱アニール・チャンバ（thermal anneal chamber）の横断面図である。急速熱アニール（ＲＴＡ）チャンバ２１１は、好ましくはローディング・ステーション（loading station）２１０に接続され、および基板は、ローディング・ステーション移送ロボット２２８によって、ＲＴＡチャンバ２１１へ、またはそこから移送される。電気めっきシステムは、図２および３に記載のとおり、好ましくは、ローディング・ステーション２１０の対称的な設計に対応して、ローディング・ステーションの反対側に配置された、二つのＲＴＡチャンバ２１１を具備する。熱アニール処理チャンバは、当業界で一般的によく知られており、急速熱アニール・チャンバは、典型的には、堆積した物質の属性を向上させるために、基板処理システムにおいて利用される。本発明は、電気めっきの結果を向上させるために、ホット・プレート設計および熱ランプ設計を含む、様々な熱アニール・チャンバ設計を利用することを意図する。本発明に有効な、一つの特定的な熱アニール・チャンバは、カリフォルニア州、Ｓａｎｔａ  Ｃｌａｒａにある、Ａｐｐｌｉｅｄ
ｍａｔｅｒｉａｌ  Ｉｎｃ．，から入手可能な、ＷｘＺチャンバである。本発明は、ホット・プレート急速熱アニール・チャンバを使用して記述されているが、本発明は、他の熱アニール・チャンバのアプリケーションも、同様に意図する。
【０１２５】
ＲＴＡチャンバ２１１は、通常、エンクロージャ９０２、ヒータ・プレート９０４、ヒータ９０７および複数の基板支持ピン９０６を具備する。エンクロージャ９０２は、基盤９０８、側壁９１０、および上部９１２を含む。好ましくは、冷プレート９１３が、エンクロージャの上部９１２の下に配置される。代替的には、冷プレートは、エンクロージャの上部９１２の一部として、一体的に形成される。好ましくは、反射絶縁皿（reflector insulator dish）９１４は、基盤９０８上のエンクロージャ９０２の内側に配置される。反射絶縁皿９１４は、典型的には、石英、アルミナ、または高温（すなわち、約５００℃以上）に耐えることができ、およびヒータ９０７とエンクロージャ９０２との間の熱絶縁体として機能することができる他の物質で作られる。皿９１４は、熱をヒータ・プレート９０６に戻るように導くために、金等の反射性物質で覆われていてもよい。
【０１２６】
ヒータ・プレート９０４は、好ましくは、システムで処理されている基板と比較して質量が大きく、好ましくは、例えば、炭化ケイ素、石英、またはＲＴＡチャンバにおける周囲のガスに反応せず、または基板素材と反応しない他の物質等、の物質から製造される。ヒータ９０７は、典型的には、抵抗性加熱素子または伝導性／放射性熱源を具備し、および被加熱プレート９０６と反射絶縁皿９１４との間に配置される。ヒータ９０７は、ヒータ９０７を熱するために必要なエネルギを供給する電源９０６に接続される。好ましくは、熱電対９２０は、コンジット９２２に配置され、基盤９０８および皿９１４を通るように配置され、ヒータ・プレート９０４へと伸びる。熱電対９２０は、コントローラ（すなわち、後述のシステム・コントローラ）に接続され、前記コントローラに温度計測を供給する。コントローラは、温度計測および所望のアニール温度に従って、ヒータ９０７によって供給される熱を上げたり下げたりする。
【０１２７】
エンクロージャ９０２は、好ましくは、エンクロージャ９０２を冷却するために、側壁９１０と熱的に接触するエンクロージャ９０２の外側に配置された、冷却メンバ９１８を含む。代替的には、一つ以上の冷却チャネル（図示されていない）が、エンクロージャ９０２の温度を制御するために、側壁９１０内に形成される。上部９１２の内側表面に配置された冷プレート９１３は、冷プレート９１３の近くに配置されている基板を冷却する。
【０１２８】
ＲＴＡチャンバ２１１は、ＲＴＡチャンバへの、およびそこからの基板の移送を容易にするために、エンクロージャ９０２の側壁９１０に配置されたスリット・バルブ（slit valve）９２２を含む。スリット・バルブ９２２は、選択的に、ローディング・ステーション２１０と通じているエンクロージャの側壁９１０にある開口部９２４を密閉する。ローディング・ステーション移送ロボット２２８（図２参照）は、開口部９２４を通って、ＲＴＡチャンバへと、およびそこから基板を移送する。
【０１２９】
基板支持ピン９０６は、好ましくは、石英、酸化アルミニウム、炭化ケイ素、または他の高温耐性物質で作られた、末端に向かって先細りになったメンバを具備する。各基板支持ピン９０６は、管状コンジット９２６の中に配置され、好ましくは、熱および酸化耐性素材で作られており、ヒータ・プレート９０４を通って伸びる。基板支持ピン９０６は、統一的な方法で、基板支持ピン９０６を動かすためのリフト・プレート９２８に接続されている。リフト・プレート９２８は、ＲＴＡチャンバ内の様々な縦の位置に基板を配置することを容易にするためにリフト・プレート９２８を動かす、リフト・シャフト９３２を通って、ステッパ・モータ（stepper motor）等、アクチュエータ９３０に取り付けられる。リフト・シャフト９３２は、エンクロージャ９０２の基盤９０８を通って伸び、前記シャフト周辺に配置された密閉フランジ（sealing flange）９３４によって密閉される。
【０１３０】
基板をＲＴＡチャンバ２１１に移送するために、スリット・バルブ９２２は開けられ、ローディング・ステーション移送ロボット２２８は、そこに配置された基板を持っているそのロボット・ブレード（robot blade）を、開口部９２４を通って、ＲＴＡチャンバへと伸ばす。ローディング・ステーション移送ロボット２２８のロボット・ブレードは、前記基板を、ヒータ・プレート９０４の上のＲＴＡチャンバに配置し、および基板支持ピン９０６は、基板をロボット・ブレードの上に持ち上げるために、上方へと伸びる。ロボット・ブレードは、ＲＴＡチャンバから引き込まれ、スリット・バルブ９２２は開口部を閉じる。基板支持ピン９０６は、ヒータ・プレート９０４から所望の距離だけ、前記基板を下げるために引き込まれる。任意で、基板支持ピン９０６は、基板がヒータ・プレートに直接接触するように配置するために、完全に引き込まれてもよい。
【０１３１】
好ましくは、ガス流入口９３６は、アニール加工処理中に、ＲＴＡチャンバ２１１へ、選択されたガスが流れ込むようにするために、エンクロージャ９０２の側壁９１０を通して配置される。ガス流入口９３６は、ＲＴＡチャンバ２１１へのガスの流れを制御するためのバルブ９４０を通してガス・ソース（gas source）９３８に接続される。ガス流出口９４２は、好ましくは、ＲＴＡチャンバにおけるガスを排出するために、エンクロージャ９０２の側壁９１０の低位部分に配置され、および好ましくはチャンバの外側からの大気のバックストリーム（backstreaming）を防ぐために、リリーフ／チェック・バルブ（relief/check valve）９４４に接続される。任意で、ガス流出口９４２は、アニール加工中、所望の真空レベルに、ＲＴＡチャンバを排気するために、真空ポンプ（図示されていない）に接続される。
【０１３２】
本発明に従って、基板は、電気めっきセルにおいて電気めっきされ、ＳＲＤステーションにおいて清浄された後、ＲＴＡチャンバ２１１においてアニールされる。好ましくは、ＲＴＡチャンバ２１１は、およそ大気圧に維持され、ＲＴＡチャンバ２１１内の酸素含有量は、アニール加工処理中は、およそ１００ｐｐｍ以下に制御される。好ましくは、ＲＴＡチャンバ２１１内の周辺環境は、窒素（Ｎ2）または窒素（Ｎ2）化合物および約４％以下の水素（Ｈ2）を含み、ＲＴＡチャンバ２１１への周辺ガスの流れは、酸素含有量を１００ｐｐｍ以下に制御するために、２０リットル／分（20 liters/min）以上に維持される。電気めっきされた基板は、好ましくは、約３０秒から３０分間、約摂氏２００度から約摂氏４５０度の間の温度で、より好ましくは、約１分から５分間、約摂氏２５０度から約摂氏４００度の温度でアニールされる。急速熱アニール処理は、典型的には、少なくとも摂氏５０度毎秒の温度上昇を必要とする。アニール加工中、基板のために必要とされる速度の温度上昇を供給するために、ヒータ・プレートは、好ましくは、約摂氏３５０度から約摂氏４５０度の間に維持され、および基板は、好ましくは、アニール加工処理中、ヒータ・プレートから約０ｍｍ（すなわち、ヒータ・プレートに接している）から約２０ｍｍの間で配置される。好ましくは、制御システム２２２は、ＲＴＡチャンバにおける所望の周辺環境およびヒータ・プレートの温度を維持することを含む、ＲＴＡチャンバ２１１のオペレーションを制御する。
【０１３３】
アニール加工処理が完了した後、基板支持ピン９０６は、ＲＴＡチャンバ２１１からの移送のための位置に、前記基板を持ち上げる。スリット・バルブ９２２が開き、ローディング・ステーション移送ロボット２２８のロボット・ブレードは、ＲＴＡチャンバの中へと伸び、前記基板の下に配置される。基板支持ピン９０６は、前記基板をロボット・ブレードへと下げるために引き込まれ、ロボット・ブレードは、ＲＴＡチャンバから引き込まれる。ローディング・ステーション移送ロボット２２８は、電気めっき処理システムからの除去のため、処理された基板をカセット（cassette）２３２の中へと移送する（図２および３参照）。
【０１３４】
図２に戻って参照すると、電気めっきシステム・プラットフォーム２００は、前記プラットフォームの各構成要素の機能を制御する制御システム２２２を含む。好ましくは、制御システム２２２は、メインフレーム２１４の上に搭載され、およびプログラム可能マイクロプロセッサを具備する。プログラム可能マイクロプロセッサは、典型的には、電気めっきシステム・プラットフォーム２００のすべての構成要素を制御するために、特に設計されたソフトウェアを使用してプログラムされる。制御システム２２２は、前記システムの構成要素へ電力も供給し、およびオペレータが、電気めっきシステム・プラットフォーム２００を監視しおよび操作することができるようにする制御パネル２２３を含む。制御パネル２２３は、図２に記載のとおり、ケーブルを通して制御システム２２２に接続され、オペレータに簡単なアクセスを供給する、スタンドアロン・モジュールである。通常は、制御システム２２２は、ローディング・ステーション２１０、ＲＴＡチャンバ２１１、ＳＲＤステーション２１２、メインフレーム２１４および処理ステーション２１８のオペレーションを調整する。さらに、制御システム２２２は、電気めっき処理のための電解液を供給するために、電解液補充システム２２０のコントローラと調整される。
【０１３５】
以下の記述は、図２に記載されたとおり、電気めっきシステム・プラットフォーム２００を通した、典型的なウェーハ電気めっき処理シーケンスの記述である。後述の処理シーケンスは、本発明に従って、電気化学堆積システムを利用して実行されうる、様々な他の処理シーケンスまたは組み合わせの例示である。複数のウェーハを含むウェーハ・カセットは、電気めっきシステム・プラットフォーム２００のローディング・ステーション２１０におけるウェーハ・カセット受け取り領域２２４へとロードされる。ローディング・ステーション移送ロボット２２８は、ウェーハ・カセットにおけるウェーハ・スロット（wafer slot）からウェーハを取り上げ、前記ウェーハをウェーハ・オリエンタ（wafer orientor）２３０に配置する。ウェーハ・オリエンタ２３０は、前記システムを通した処理のための所望の位置に、前記ウェーハを決定しおよび向ける。ローディング・ステーション移送ロボット２２８はそれから、位置付けされたウェーハをウェーハ・オリエンタ２３０から移送し、前記ウェーハを、ＳＲＤステーション２１２におけるウェーハ通過カセット２３８におけるウェーハ・スロットの一つに配置する。メインフレーム移送ロボット２４２は、前記ウェーハを、ウェーハ通過カセット２３８から取り上げ、および前記ウェーハをフリッパ・ロボット・エンド・イフェクタ２４０４（flipper robot end effector）２４０４に固定する。メインフレーム移送ロボット２４２は、前記ウェーハをＥＤＰセル３０１０へ移送し、シード層修復処理（seed layer repair process）は、無電解堆積を利用して実行される。
【０１３６】
シード層修復処理の後、メインフレーム移送ロボットは、電気めっき処理のために、前記ウェーハを処理セル２４０に移送する。フリッパ・ロボット・エンド・イフェクタ２４０４は、ウェーハの表面が下になるように、ウェーハ・ホルダ・アセンブリ４５０において回転させ、配置する。前記ウェーハは、ウェーハ・ホルダ４６４の下に配置されるが、カソード接触環４６６の上に配置される。フリッパ・ロボット・エンド・イフェクタ２４０４はそれから、ウェーハをカソード接触環４６６へと配置するために、前記ウェーハを解放する。ウェーハ・ホルダ４６４は、前記ウェーハに向かって動き、真空チャック（vacuum chuck）は、前記ウェーハをウェーハ・ホルダ４６４に固定する。ウェーハ・ホルダ・アセンブリ４５０上にあるブラダ・アセンブリ４７０は、ウェーハめっき表面とカソード接触環４６６との間に電気的接触を確保するために、ウェーハの裏面に対して圧力をかける。
【０１３７】
ヘッド・アセンブリ４５２は、処理キット４２０の上の処理位置へと下げられる。この点において、ウェーハは、堰４７８の上面（upper plane）の下にあり、処理キット４２０に含まれる電解液と接触する。電源は、電気めっき処理を可能にするために、電力（すなわち、電圧および電流）をカソードおよびアノードに供給するように稼動する。電解液は、典型的には、電気めっき処理中、処理キットへと継続的に汲み込まれる。カソードおよびアノードに供給される電力、および電解液の流れは、所望の電気めっき結果を達成するために、制御システム２２２によって制御される。好ましくは、ヘッド・アセンブリは、ヘッド・アセンブリが下がると、また電気めっき処理中も回転する。
【０１３８】
電気めっき処理が完了した後、ヘッド・アセンブリ４１０は、ウェーハ・ホルダ・アセンブリを持ち上げ、前記ウェーハを電解液から除去する。好ましくは、ヘッド・アセンブリは、ウェーハ・ホルダ・アセンブリからの残余電解液の除去を促進するために、一定時間、回転する。真空チャックおよびウェーハ・ホルダのブラダ・アセンブリは、ウェーハ・ホルダからウェーハを解放し、およびウェーハ・ホルダは、フリッパ・ロボット・エンド・イフェクタ２４０４が、カソード接触環から処理されたウェーハを取り上げることができるようにするために、持ち上げられる。フリッパ・ロボット・エンド・イフェクタ２４０４は、カソード接触環における処理されたウェーハの裏面の上の位置に動かされ、およびフリッパ・ロボット・エンド・イフェクタ上の真空吸入グリッパ（vacuum suction gripper）を使用して、前記ウェーハを取り上げる。メインフレーム移送ロボットは、処理セル２４０から、ウェーハとともにフリッパ・ロボット・エンド・イフェクタを引き込み、フリッパ・ロボット・エンド・イフェクタは、表面が下を向いた位置から、表面を上に向けた位置へと、前記ウェーハをめくる。
【０１３９】
前記ウェーハは、ＥＢＲ／ＳＲＤモジュール２２００へと移送される。ＥＢＲ／ＳＲＤウェーハ支持は前記ウェーハを持ち上げ、およびメインフレーム移送ロボットは、ＥＢＲ／ＳＲＤモジュール２２００から引き込まれる。ウェーハは、ＥＢＲ／ＳＲＤセルにおける真空ウェーハ・ホルダへと配置され、詳細に上述されたとおり、ウェーハのエッジ部分での過剰な堆積を除去するために、エッジ・ビード除去処理（edge bead removal process）が実行される。ウェーハは、詳細に上述されたとおり、脱イオン水、または脱イオン水と清浄流体との組み合わせを使用して、ＥＢＲ／ＳＲＤモジュールにおいて、スピン・リンス・ドライ処理（spin-rinse-dry process）を使用して清浄される。ウェーハは、ＥＢＲ／ＳＲＤモジュールからの移送のために配置される。
【０１４０】
ローディング・ステーション移送ロボット２２８は、ＥＢＲ／ＳＲＤモジュール２３６からウェーハを取り上げ、堆積した物質の属性を向上させるための、アニール加工処理のために、ＲＴＡチャンバ２１１へと処理されたウェーハを移送する。アニールされたウェーハは、ローディング・ステーション・ロボット２２８によってＲＴＡチャンバ２１１から移送され、電気めっきシステムからの除去のために、ウェーハ・カセットへと戻され、配置される。上述されたシーケンスは、本発明の電気めっきシステム・プラットフォーム２００において、実質的に同時に、複数のウェーハに関して実行されうる。また、本発明に従った電気めっきシステムは、マルチスタック（multi-stack）のウェーハ処理を供給するように適応しうる。
【０１４１】
前述の内容は、本発明の好ましい実施形態のためのものである一方で、本発明の他の、およびさらなる実施形態が、その基本的な範囲から逸脱することなく考案されてもよい。
【図面の簡単な説明】
【図１】  コンタクトピンが組み込まれた単純化された代表的なファウンテン形めっき装置１０の断面図である。
【図１Ａ】  ウェーハ３０のエッジの断面図であり、過剰堆積部３６がシード層３４のエッジ３２のところに生じている状態を示す図である。
【図２】  本発明の電気めっき装置プラットホーム２００の斜視図である。
【図３】  本発明の電気めっき装置プラットホーム２００の斜視図である。
【図４】  リンス及び溶解流体入口を備えた本発明のスピン−リンス−ドライ（ＳＲＤ）モジュールの斜視図である。
【図５】  図４のスピン−リンス−ドライ（ＳＲＤ）モジュールの側面断面図であり、基板を流体入口相互間で垂直方向に配置された状態において処理位置で示す図である。
【図６】  本発明の電気めっき処理セル４００の断面図である。
【図７】  陰極接点リングの部分断面斜視図である。
【図８】  陰極接点リングの断面斜視図であり、接触パッドの変形例を示す図である。
【図９】  陰極接点リングの断面斜視図であり、接触パッドの変形例及び絶縁ガスケットを示す図である。
【図１０】  陰極接点リングの断面斜視図であり、絶縁ガスケットを示す図である。
【図１１】  各コンタクトピン経由の電気めっき装置の電気回路の略図である。
【図１２】  本発明のウェーハ組立体４５０の断面図である。
【図１２Ａ】  図１２のブラダ領域の拡大断面図である。
【図１３】  ウェーハホルダプレートの部分断面図である。
【図１４】  マニホルドの部分断面図である。
【図１５】  ブラダの部分断面図である。
【図１６】  電解液補給装置２２０の略図である。
【図１７】  迅速熱アニールチャンバの断面図である。
【図１８】  陰極コンタクトリングの変形例を示す斜視図である。
【図１９】  ウェーハホルダ組立体の変形例の部分断面図である。
【図２０】  封入陽極の第１の実施形態の断面図である。
【図２１】  封入陽極の第２の実施形態の断面図である。
【図２２】  封入陽極の第３の実施形態の断面図である。
【図２３】  封入陽極の第４の実施形態の断面図である。
【図２４】  無電気めっき法（ＥＤＰ）セルの断面図である。
【図２５】  回転自在なヘッド組立体２４１０を備えた処理ヘッド組立体の変形実施形態を示す図である。
【図２６Ａ】  ゲッターモジュールの一実施形態の断面図である。
【図２６Ｂ】  ゲッターモジュールの別の実施形態の断面図である。
【図２７】  エッジクリーン兼スピン−リンス−ドライ（ＥＢＲ／ＳＲＤ）モジュールの断面図であり、基板を流体入口相互間で垂直方向に配置された状態において処理位置で示す図である。
【図２８】  ＥＢＲ／ＳＲＤモジュールの平面図であり、エッジクリーンのためのノズル位置の一実施形態を示す図である。
【図２９】  処理中のウェーハ２１２２に関連して設けられたノズル２１５０の側面図である。
【図１】
0004766579.tif 000003
【図１Ａ】
0004766579.tif 000004
【図２】
0004766579.tif 000005
【図３】
0004766579.tif 000006
【図４】
0004766579.tif 000007
【図５】
0004766579.tif 000008
【図６】
0004766579.tif 000009
【図７】
0004766579.tif 000010
【図８】
0004766579.tif 000011
【図９】
0004766579.tif 000012
【図１０】
0004766579.tif 000013
【図１１】
0004766579.tif 000014
【図１２−１２Ａ】
0004766579.tif 000015
【図１３】
0004766579.tif 000016
【図１４】
0004766579.tif 000017
【図１５】
0004766579.tif 000018
【図１６】
0004766579.tif 000019
【図１７】
0004766579.tif 000020
【図１８】
0004766579.tif 000021
【図１９】
0004766579.tif 000022
【図２０】
0004766579.tif 000023
【図２１】
0004766579.tif 000024
【図２２】
0004766579.tif 000025
【図２３】
0004766579.tif 000026
【図２４】
0004766579.tif 000027
【図２５】
0004766579.tif 000028
【図２６Ａ】
0004766579.tif 000029
【図２６Ｂ】
0004766579.tif 000030
【図２７】
0004766579.tif 000031
【図２８】
0004766579.tif 000032
【図２９】
0004766579.tif 000033